(57)【要約】      （修正有）【課題】テストステロンまたはミダゾラムなど特別な薬剤のための針支援式ジェット注射器を提供する。【解決手段】注射器１００は、軸の周りに配置され開口３０２および突起部を有するトリガ部材３００、および薬剤容器１１０から薬剤を発射するために薬剤容器を加圧するように構成されたラム１２３２を有するラム組立体１２２と、薬剤を発射するためにラムに力を加えるようにラムに関連付けられるエネルギー源１２０と、ユーザ操作可能な発射開始部材であって、トリガ部材の突起部に係合される開口を有し、発射前状態から発射状態へ近位方向にトリガ部材の軸方向移動を引き起こすように操作可能であり、発射状態ではトリガ係合部材が保持部から解放されることでエネルギー源がラムを始動することが可能になる発射開始部材とを含む。【選択図】図１
2018153647.tif 000002
【特許請求の範囲】
【請求項１】
軸の周りに配置され、開口および突起部を有するトリガ部材、および
薬剤容器から薬剤を発射するために前記薬剤容器を加圧するように構成されたラムを有するラム組立体であって、前記トリガ部材が発射前状態にあるときに前記トリガ部材の前記開口に係合するように構成されたトリガ係合部材をさらに有するラム組立体
を含むトリガ機構と、
前記薬剤を発射するために前記ラムに力を加えるように前記ラムに関連付けられるエネルギー源と、
ユーザ操作可能な発射開始部材であって、前記トリガ部材の前記突起部に係合される開口を有し、前記発射前状態から発射状態へ近位方向に前記トリガ部材の軸方向移動を引き起こすように操作可能であり、前記発射状態では前記トリガ係合部材が保持部から解放されることで前記エネルギー源が前記ラムを始動することが可能になる発射開始部材と
を備える注射器。
【請求項２】
注射器ハウジングをさらに備え、
前記発射開始部材は、前記注射器の遠位端に配置された皮膚接触部材を含み、前記皮膚接触部材は前記注射器の前記遠位端において前記皮膚接触部材に力が加えられたときに前記ハウジングに対して近位方向に移動可能であり、
前記発射開始部材は、前記トリガ部材に関連付けられ、前記皮膚接触部材の前記ハウジングに対する近位方向の移動の際に、前記発射前状態から前記発射状態へ近位方向に前記トリガ部材の軸方向移動を引き起こすように構成される、請求項１に記載の注射器。
【請求項３】
前記皮膚接触部材は、針ガードを含み、前記針ガードは引込み可能であり、かつ前記皮膚接触部材の近位方向の移動の際に前記薬剤容器に接続された針を露出するように構成される、請求項２に記載の注射器。
【請求項４】
前記針は、発射中に前記薬剤容器から発射される薬剤を注射するために前記薬剤容器に流体連通する、請求項３に記載の注射器。
【請求項５】
前記エネルギー源および前記針は、前記針を通して前記薬剤をジェット注射するように構成される、請求項３に記載の注射器。
【請求項６】
前記エネルギー源は、前記薬剤をジェット注射するために、約９０ｐｓｉと約６００ｐｓｉとの間に前記薬剤を加圧するように構成される、請求項５に記載の注射器。
【請求項７】
前記エネルギー源および前記針は、前記針内で少なくとも約１，０００ｃｍ／ｓｅｃの平均速度で前記薬剤を注射するように構成される、請求項５に記載の注射器。
【請求項８】
端部キャップをさらに備え、前記端部キャップは、発射前位置において前記エネルギー源の動作に対抗して前記ラム組立体を軸方向について近位位置に保持するラム保持部材を備える、請求項１に記載の注射器。
【請求項９】
前記ラム保持部材は、前記トリガ係合部材を係合させることで、前記発射前位置において前記エネルギー源の動作に対抗して前記ラム組立体を軸方向について近位位置に保持する、請求項８に記載の注射器。
【請求項１０】
前記軸と、前記ラム保持部材および前記トリガ係合部材の接触面とによって規定されるラッチ保持角度をさらに備える、請求項９に記載の注射器。
【請求項１１】
前記ラッチ保持角度は、約３５°と約４５°との間である、請求項１０に記載の注射器。
【請求項１２】
前記ラッチ保持角度は、約７５°と約８５°との間である、請求項１０に記載の注射器。
【請求項１３】
前記発射状態において、前記ラムが前記開口から解放され、前記エネルギー源が前記トリガ係合部材と前記ラム保持部材との間の係合を克服する、請求項９に記載の注射器。
【請求項１４】
前記ラム保持部材は突出部を含み、前記突出部は前記トリガ係合部材に係合される膨張部および溝を含み、
前記トリガ部材の前記開口は、前記発射前状態において、前記膨張部および前記溝を含む前記トリガ係合部材との係合を保持する、請求項９に記載の注射器。
【請求項１５】
注射中に前記薬剤容器を保持するように構成された容器支持体をさらに備え、
前記ラム組立体は、注射後に前記注射器をロックアウトするために前記容器支持体に係合するように構成される、請求項１に記載の注射器。
【請求項１６】
前記注射器がロックアウトされたときに、前記ユーザ操作可能な発射開始部材の近位方向の移動が、前記ラム組立体によってブロックされる、請求項１５に記載の注射器。
【請求項１７】
前記発射前状態において前記注射器の外側から発射前色域が視認可能であり、
前記注射器は、
窓を含むハウジングと、
インジケータであって、前記発射前色域には存在しない指示色を有し、前記発射前状態では前記指示色が前記ハウジング内で見えないように隠され、前記発射状態では前記指示色が前記発射状態を表示するために前記注射器の外側から前記窓を通して視認可能であるインジケータと
をさらに備える、請求項１に記載の注射器。
【請求項１８】
前記ラム組立体が前記インジケータを含む、請求項１７に記載の注射器。
【請求項１９】
前記ラム組立体は、前記発射状態において前記窓を完全に塞ぐ、請求項１８に記載の注射器。
【請求項２０】
前記薬剤はアンドロゲンを含む、請求項１に記載の注射器。
【請求項２１】
前記アンドロゲンは、テストステロンまたはその誘導体もしくはエステルを含む、請求項２０に記載の注射器。
【請求項２２】
前記アンドロゲンはシピオン酸テストステロンを含む、請求項２１に記載の注射器。
【請求項２３】
前記アンドロゲンはエナント酸テストステロンを含む、請求項２１に記載の注射器。
【請求項２４】
前記薬剤はミダゾラムを含む、請求項１に記載の注射器。
【請求項２５】
前記発射開始部材の前記開口は、前記トリガ部材の前記突起部に摺動可能に係合される、請求項１に記載の注射器。
【請求項２６】
前記ラム組立体は一体構造である、請求項１に記載の注射器。
【発明の詳細な説明】
【技術分野】
【０００１】
関連出願の相互参照
[0001]この出願は、２０１３年２月１１日に出願された係属中の米国仮出願第６１／７６３，３９５号、および２０１３年３月１１日に出願された係属中の米国仮出願第６１／７７６，２８３号の利益および優先権を主張する。
【０００２】
[0002]本開示は、注射装置に関し、いくつかの実施形態では、テストステロンまたはミダゾラムなど特別な薬剤のための針支援式ジェット注射器に関する。
【背景技術】
【０００３】
[0003]患者へ液体薬剤の注射を作動させるために自動化機構を使用する様々な注射装置が存在する。そのような装置の例は、（無針式および針支援式の両方の）ジェット注射器、ならびに（たとえば、従来の指で駆動する皮下シリンジ注射の機械式送達を提供する）従来の低圧力自動注射器を含む。注射を完了するのに使用される詳細な機構は様々であり得るが、ほとんどは、使用中に注射機構を駆動するのに使用できる運動エネルギーを蓄積する特徴を含む。さらに、多くの注射器は、注射が望まれるまで運動エネルギーが蓄積されたままであることを保証するように構成されたトリガ機構を含み、それにより、トリガの作動が注射機構を解放し、蓄積された運動エネルギーが注射機構を駆動して注射を行うことを可能にする。
【０００４】
[0004]無針ジェット注射器の例は、たとえば、米国特許第５，５９９，３０２号および第４，７９０，８２４号に説明されている。これらの強力注射器は、ボタン作動式であり、ジェットが皮膚を通過できる十分な圧力の下で送達される精密な高速のジェットとして薬剤を投与する。そのような無針ジェット注射器における注射機構は、薬剤を注射するために必要な圧力がチャンバ内に発生するように、装置内の薬剤貯蔵チャンバに力を加えるものでありうる。
【０００５】
[0005]たとえば、米国特許第４，５５３，９６２号および第４，３７８，０１５号、ならびに国際公開第９７／１４４５５号に説明されるような従来の自己注射器または自動注射器は、手動操作の皮下シリンジと同様の速度および手法で薬剤を注射する。説明された自己注射器または自動注射器は、薬剤容器および関連する針の移動によって薬剤を送達するために、ユーザの皮膚を貫通するように作動時に延びる針を有する。したがって、従来の低圧力の自己注射器および自動注射器において薬剤を送達する力を提供する機構は、針を延ばし、薬剤容器を変位させて、ユーザの皮膚への針の挿入を行い、薬剤容器内に移動可能に配置されたプランジャに力を加えて、薬剤が針を通して容器から発射されるようにするためにも用いられる。したがって、たとえばオーウェン・マムフォードにより製造される自動注射器は、薬剤を注射するために非常に低い圧力を使用し、この場合、典型的には薬剤が比較的低速の流れで針を通して注射される。他の自己注射器は、シンポニー注射器を含む。これは、ハウジングに窓を含み、注射器が使用されると、窓を通して黄色いラムが透明な薬剤容器の内側で視認可能である。
【０００６】
[0006]さらに、より強い射出力を有し、最初に皮膚を貫通するために針を利用する針支援式ジェット注射器も開発されており、これは、従来の皮下注射器または低圧力自動注射器よりも浅い針挿入深さの範囲を可能にする。皮膚が針で突き通されると、ジェット機構が作動され、注射器内の薬剤を含む液体が加圧されて針を通して皮膚内に発射される。針支援式ジェット注射器内の注射機構は、薬物容器および針を前方に移動させて、皮膚を突き通し、容器内に移動可能に配置されたプランジャに必要な射出力を加えるように構成さ
れ得る。代替的に、針および薬物容器は、針および薬物容器を静止位置に維持しながら皮膚を貫通するように位置決めしてもよく、注射機構は、容器を加圧するような構造としてもよい。皮膚の外層が針により既に貫通されているため、注射器内の薬剤に加えられる圧力は、従来のジェット注射器の圧力よりも小さくすることができる。同様に、薬剤に加えられる圧力は、好ましくは、従来の自動注射器などの圧力より高くし、薬剤が皮膚を通るようにし、薬剤が実質的に身体内に留まるのに十分な深さで皮膚下の組織に分散または注射されるようにする。より高い圧力のさらなる利点は、より速い注射時間を含み、これは、患者の心的外傷を低減させ、また、注射部位から注射器を除去することでユーザが不注意で時期尚早に注射を中断する可能性を低減させる。
【発明の概要】
【発明が解決しようとする課題】
【０００７】
[0007]輸送中の突然の動きに起因して、またはトリガ機構の偶発的な作動を含むユーザによる装置の誤った取扱いに起因して、トリガおよび注射機構に関連付けられる蓄積されたエネルギーによる偶発的な発射が発生し得る。注射機構の偶発的な発射は、装置から薬剤を発射させる可能性があり、これは注射装置のタイプによっては危険な高圧力で生じ得る。さらに、偶発的な発射は、皮膚を貫通するのに十分な力で注射針を装置に対して前方に移動させる可能性がある。
【０００８】
[0008]また、注射器に組み込まれる多くの部品の寸法が、一般的に多くの注射器の設計を制限する。たとえば、多くの注射器は前方発射開始機構を利用しており、これは一般的に軸方向移動および注射器の後方に位置するトリガ構造との係合を必要とする。しかしながら、この構成では、たとえば注射装置のサイズを縮小することや装置内の薬物容器を見ることができるなどの利点があり得るが、たとえば摺動可能な連結における部品間の摩擦、および部品の歪みによって、連結されたトリガ部品の固着が助長される。
【課題を解決するための手段】
【０００９】
[0009]本発明の一実施形態において、発明は注射器に関する。一実施形態において、発明は注射器である。注射器は、軸の周りに配置され開口および突起部を有するトリガ部材と、薬剤容器から薬剤を発射するために薬剤容器を加圧するように構成されたラムを有するラム組立体であって、トリガ部材が発射前状態にあるときにトリガ部材の開口に係合するように構成されたトリガ係合部材をさらに有するラム組立体と、薬剤を発射するためにラムに力を加えるようにラムに関連付けられるエネルギー源と、ユーザ操作可能な発射開始部材であって、トリガ部材の突起部に摺動可能にまたは直接的に係合される開口を有し、発射前状態から発射状態へ近位方向にトリガ部材の軸方向移動を引き起こすように操作可能であり、発射状態ではトリガ係合部材が保持部から解放されることでエネルギー源がラムに作用することが可能になる発射開始部材とを含む。
【００１０】
[0010]一実施形態では、注射器は注射器ハウジングをさらに含み、発射開始部材は注射器の遠位端に配置された皮膚接触部材を含む。皮膚接触部材は、注射器の遠位端において皮膚接触部材に力が加えられたときにハウジングに対して近位方向に移動可能である。発射開始部材はトリガ部材に関連付けられ、皮膚接触部材のハウジングに対する近位方向の移動により発射前状態から発射状態へ近位方向にトリガ部材の軸方向移動を引き起こすように構成される。
【００１１】
[0011]一実施形態では、皮膚接触部材は、針ガードを含み、針ガードは引込み可能であり、皮膚接触部材の近位方向の移動により薬剤容器に接続された針を露出するように構成される。
【００１２】
[0012]一実施形態では、針は、発射中に薬剤容器から発射される薬剤を注射するために
薬剤容器に流体連通する。
【００１３】
[0013]一実施形態では、エネルギー源および針は、針を通して薬剤をジェット注射するように構成される。
【００１４】
[0014]一実施形態では、エネルギー源は、薬剤をジェット注射するために、約９０ｐｓｉ（ｐｓｉ：重量ポンド毎平方インチ）と約６００ｐｓｉとの間に薬剤を加圧するように構成される。
【００１５】
[0015]一実施形態では、エネルギー源および針は、針内で少なくとも約１，０００ｃｍ／ｓｅｃの平均速度で薬剤を注射するように構成される。
【００１６】
[0016]一実施形態では、注射器が端部キャップをさらに含み、この端部キャップは、発射前位置においてエネルギー源の動作に対抗してラム組立体を軸方向について近位位置に保持するラム保持部材を備える。
【００１７】
[0017]一実施形態では、ラム保持部材は、発射前位置においてエネルギー源の動作に対抗してラム組立体を軸方向について近位位置に保持するためにトリガ係合部材に係合する。
【００１８】
[0018]一実施形態では、注射器は、軸と、ラム保持部材およびトリガ係合部材との接触面とによって規定されるラッチ保持角度を含む。いくつかの実施形態では、ラッチ保持角度は、約３５°と約４５°との間である。他の実施形態では、ラッチ保持角度は、約７５°と約８５°との間である。
【００１９】
[0019]一実施形態では、発射状態において、ラムは開口から解放され、エネルギー源がトリガ係合部材とラム保持部材との間の係合を克服する。
【００２０】
[0020]一実施形態では、ラム保持部材は突出部を含み、突出部はトリガ係合部材に係合される膨張部および溝を含み、トリガ部材の開口は、発射前状態において、膨張部および溝を含むトリガ係合部材との係合を保持する。
【００２１】
[0021]一実施形態では、注射器は、注射中に薬剤容器を保持するように構成された容器支持体をさらに含み、ラム組立体は、注射後に注射器をロックアウトするために容器支持体に係合するように構成される。
【００２２】
[0022]一実施形態では、注射器がロックアウトされたときに、ユーザ操作可能な発射開始部材の近位方向の移動が、ラム組立体によってブロックされる。
【００２３】
[0023]一実施形態では、発射前状態において注射器の外側から発射前色域が視認可能である。注射器は、窓を含むハウジングと、インジケータであって、発射前色域には存在しない指示色を有し、発射前状態では指示色がハウジング内で見えないように隠され、発射状態では指示色が発射状態であることを表示するために注射器の外側から窓を通して視認可能であるインジケータとをさらに含む。いくつかの実施形態では、ラム組立体がインジケータを含む。いくつかの実施形態では、ラム組立体は、発射状態において窓を完全に塞ぐ。
【００２４】
[0024]一実施形態では、薬剤はアンドロゲンを含む。他の実施形態では、アンドロゲンは、テストステロンまたはその誘導体もしくはエステルを含む。いくつかの実施形態では、アンドロゲンはシピオン酸テストステロンを含む。一実施形態では、アンドロゲンはエ
ナント酸テストステロンを含む。一実施形態では、薬剤はミダゾラムを含む。
【００２５】
[0025]一実施形態では、発射開始部材の開口は、トリガ部材の突起部に摺動可能に係合される。
【００２６】
[0026]一実施形態では、ラム組立体は一体構造である。
【００２７】
[0027]本発明の上記および他の目的、特徴、および利点は、図面と併せて考慮される以下の非限定的な詳細な説明を検討することから明らかとなろう。
【図面の簡単な説明】
【００２８】
【図１】[0028]本開示の例示的な実施形態による例示的な注射装置の断面図である。
【図２】[0029]本開示の例示的な実施形態による例示的な注射装置のキャップの断面図である。
【図３Ａ】[0030]本開示の例示的な実施形態による例示的な注射装置の浮動トリガ部材の斜視図である。
【図３Ｂ】[0031]本開示の例示的な実施形態による例示的な注射装置の、ラム保持位置における（図１に示す）３Ｂ，３Ｃ断面での断面図である。
【図３Ｃ】[0032]本開示の例示的な実施形態による例示的な注射装置の、発射位置における（図１に示す）３Ｂ，３Ｃ断面での断面図である。
【図４】[0033]本開示の例示的な実施形態による例示的な注射装置の部分断面図である。
【図５Ａ】[0034]本開示の例示的な実施形態による例示的な注射装置の端部ハウジング部の斜視図である。
【図５Ｂ】[0035]本開示の例示的な実施形態による例示的な注射装置の端部ハウジング部の斜視図である。
【図６Ａ】[0036]本開示の例示的な実施形態による例示的な注射装置の端部ハウジング部および浮動トリガ部材の、保持位置における（図４に示す）６Ａ，６Ｂ断面での断面図である。
【図６Ｂ】[0037]本開示の例示的な実施形態による例示的な注射装置の端部ハウジング部および浮動トリガ部材の、発射位置における（図４に示す）６Ａ，６Ｂ断面での断面図である。
【図７Ａ】[0038]本開示の例示的な実施形態による例示的な注射装置のスリーブの側面図である。
【図７Ｂ】本開示の例示的な実施形態による例示的な注射装置のスリーブの斜視図である。
【図８】[0039]本開示の例示的な実施形態による例示的な注射装置の針ガードの側面および斜視図である。
【図９Ａ】[0040]本開示の例示的な実施形態による例示的な注射装置のラム組立体、針ガード、浮動トリガ部材、スリーブの、未発射位置における側面図である。
【図９Ｂ】本開示の例示的な実施形態による例示的な注射装置のラム組立体、針ガード、浮動トリガ部材、スリーブの、発射済位置における側面図である。
【図１０Ａ】[0041]本開示の例示的な実施形態による例示的な注射装置のラム組立体の側面図である。
【図１０Ｂ】本開示の例示的な実施形態による例示的な注射装置のラム組立体の斜視図である。
【図１１】[0042]本開示の例示的な実施形態による例示的な注射装置のトリガ係合部材とラム保持部材との係合の近接図である。
【図１２】[0043]本開示の例示的な実施形態による例示的な注射装置のラム組立体の上面図である。
【図１３】[0044]本開示の例示的な実施形態による例示的な注射装置の分解図である。
【図１４Ａ】[0045]本開示の例示的な実施形態による例示的な注射装置のトリガ部材の斜視図である。
【図１４Ｂ】[0046]本開示の例示的な実施形態による例示的な注射装置の断面図である。
【図１４Ｃ】[0047]本開示の例示的な実施形態による例示的な注射装置のトリガ部材の斜視図である。
【図１５Ａ】[0048]本開示の例示的な実施形態による例示的な注射装置のラム組立体、針ガード、ハウジング端部／端部キャップ、およびトリガ部材の様々な側面図である。
【図１５Ｂ】本開示の例示的な実施形態による例示的な注射装置のラム組立体、針ガード、ハウジング端部／端部キャップ、およびトリガ部材の様々な側面図である。
【図１５Ｃ】本開示の例示的な実施形態による例示的な注射装置のラム組立体、針ガード、ハウジング端部／端部キャップ、およびトリガ部材の様々な側面図である。
【図１５Ｄ】本開示の例示的な実施形態による例示的な注射装置のラム組立体、針ガード、ハウジング端部／端部キャップ、およびトリガ部材の様々な側面図である。
【図１５Ｅ】本開示の例示的な実施形態による例示的な注射装置のラム組立体、針ガード、ハウジング端部／端部キャップ、およびトリガ部材の様々な側面図である。
【図１５Ｆ】本開示の例示的な実施形態による例示的な注射装置のラム組立体、針ガード、ハウジング端部／端部キャップ、およびトリガ部材の様々な側面図である。
【図１５Ｇ】本開示の例示的な実施形態による例示的な注射装置のラム組立体、針ガード、ハウジング端部／端部キャップ、およびトリガ部材の様々な側面図である。
【図１５Ｈ】本開示の例示的な実施形態による例示的な注射装置のラム組立体、針ガード、ハウジング端部／端部キャップ、およびトリガ部材の様々な側面図である。
【図１６Ａ】[0049]トリガ前の位置における本開示の例示的な実施形態による例示的な注射装置の側面図である。
【図１６Ｂ】トリガ中の位置における本開示の例示的な実施形態による例示的な注射装置の側面図である。
【図１６Ｃ】トリガ後の位置における本開示の例示的な実施形態による例示的な注射装置の側面図である。
【図１７Ａ】[0050]図１６Ａに示される端部キャップ、ラム組立体、およびトリガの一部分の断面図である。
【図１７Ｂ】[0051]図１７Ａに示される端部キャップ、ラム組立体、およびトリガの一部分の拡大断面図である。
【図１７Ｃ】[0052]図１に示される注射装置の端部キャップ、ラム組立体、およびトリガの断面図である。
【図１７Ｄ】[0053]図１７Ｃに示される注射装置の端部キャップ、ラム組立体、およびトリガの拡大断面図である。
【図１８】[0054]本開示の例示的な実施形態による例示的な注射装置のトリガ係合部材とラム保持部材との係合の近接図である。
【発明を実施するための形態】
【００２９】
[0055]図面を通して、同じ参照番号および文字は、別段の記載がない限り、図示された実施形態の同様の特徴、要素、部品、または部分を示すために使用される。さらに、本開示は、ここで図を参照して詳細に説明されるが、例示的な実施形態に関連してそのようにされるのであって、図に示される特定の実施形態によって限定されるものではない。
【００３０】
[0056]添付の図面を参照して、本発明の様々な実施形態が、より完全に以下に説明される。すべてではないがいくつかの本発明の実施形態が示される。実際に、本発明の様々な実施形態は、多くの異なる形態で具現化することが可能であり、明示的に説明される実施
形態に限定されると解釈されるべきではない。同様の番号は、全体を通して同様の要素を参照する。単数形（「ａ」、「ａｎ」、および「ｔｈｅ」）は、文脈が別段に明示しない限り、単数形および複数形を含む。
【００３１】
[0057]図１は、本開示の例示的な実施形態による例示的な注射装置１００を示す。なお、本開示の文脈において、用語「遠位」および「近位」は、ユーザに保持されたときのユーザに対する注射装置の位置を参照して使用される。したがって、別の点より遠位に位置する点はユーザからさらに遠く（すなわち注射装置の注射端に向かう）、また逆も同様である。図面に示されるように、例示的な注射装置１００は針支援式ジェット注射装置であるが、本明細書のいくつかの特徴を使用する代替的な実施形態が、無針ジェット注射器として、または低圧力自動注射器もしくは他の機械式注射器として構成され得ることは、当業者には理解されよう。いくつかの実施形態によれば、注射装置１００は、使い捨ての針支援式ジェット注射器である。いくつかの実施形態では、注射装置１００は、反復される注射に際して、複数のおよび／または変動する投薬を提供するように修正され得る。いくつかの実施形態によれば、注射装置１００は、ロックアウト機能を有する使い捨ての針支援式ジェット注射器である。たとえば、注射装置１００は、注射装置１００内に貯蔵された薬剤のジェット注入を促進することができ、また、いったん薬剤が排出されるとユーザが注射装置１００を使用しようとするのを防止するロック機能を含むことができる。一実施形態では、ロック機能は、注射装置１００の使用ではなく薬剤の排出が行われると作動される。たとえば、ロック機能が作動されると、注射装置が注射のためにユーザにより実際に使用されたわけではないが、（たとえば、装置の輸送や取扱いなどの際に）発射機構が偶発的に作動されて薬剤が排出された場合でも、注射装置１００がユーザによりその後に使用を試みられることを防止することができる。ロック機能を含む注射装置１００の動作はさらに詳細に後述される。
【００３２】
[0058]いくつかの例示的な実施形態によれば、注射装置１００は、任意の適切な液体薬物または薬剤を送達することができる。さらに、注射装置１００は、公式な訓練を受けていない個人による注射の投与（たとえば、自己投与、または子に薬物を投与する親など、他の個々の家族の一員、もしくは公式に訓練された医療提供者ではない可能性がある他の介護者による投与）を可能にすることができる。したがって、注射装置１００は、自己注射／介護者が投与する注射が有益となる状況で役に立つ可能性がある。そのような状況としては、以下に限定されないが、炎症性疾患、低Ｔとしても知られている低テストステロン、性腺機能低下症、糖尿病、不妊症治療、性的機能不全、心血管疾患、腫瘍、腫瘍支持療法、アレルギー反応、多発性硬化症、関節リウマチ乾癬、クローン病および全身性エリテマトーデス（ＳＬＥ）を含む他の自己免疫疾患、慢性疼痛、偏頭痛、急性発作、てんかん発作、腎臓病などが含まれる。さらに、注射装置１００は幅広い薬物を注射するために使用することができる。たとえば、注射装置１００は、薬物、水溶性薬剤、ペプチド、タンパク質、デポー製剤、および油溶性薬剤を注射するために使用することができる。一実施形態では、薬剤は、ミダゾラムを含むベンゾジアゼピンを含む。別の実施形態では、薬剤は、水溶液の代わりに油に溶け、男性および女性に使用されるホルモン剤（たとえばテストステロンまたはその誘導体もしくはエステル）、メトトレキサートのような低分子の注射可能薬物（たとえば、参照によりその全体が本明細書に組み込まれる国際公開２０１０／１０８１１６号を参照）、ならびに／または高粘度を有するものを含む生物学的製剤を含むことができる。さらに、上述したように、注射装置１００は、テストステロン製剤（たとえば、シピオン酸テストステロンおよびエナント酸テストステロン）を含むアンドロゲンを注射するために使用することができる。いくつかの実施形態では、注射装置は、これらに限定されないがテストステロン、生物製剤、または後発生物製剤のような、注射するのが複雑で難しい粘性の薬に関して、投与および性能を強化するように設計される。一実施形態では、注射装置は、生物製剤を含むがこれに限定されない粘性製剤について必要とされ得る薬剤の強力かつ円滑な放出を生じるように設計される。
【００３３】
[0059]テストステロンは、アンドロゲングループのステロイドホルモンである。一般に、アンドロゲンは、アンドロゲン受容体とともにタンパク質合成およびその組織の成長を促進する。テストステロンは、同化作用があり、それは骨および筋肉量を増大させることを意味する。テストステロンは、以下の構造式を有する。
【００３４】
【化１】
2018153647.tif 000003
【００３５】
[0060]テストステロンの本来の、および主要な使用は、テストステロンの自然な体内での産生が非常に少ない、またはない男性（低Ｔまたは性腺機能低下症を有する男性）の治療のためである。Ｍａｓｓａｃｈｕｓｅｔｔｓ  Ｍａｌｅ  Ａｇｉｎｇ  Ｓｔｕｄｙによれば、４０歳から６０歳の約６％から１２％の男性は、症候性低テストステロン欠乏症である。しかしながら、年月とともに、テストステロンは、他の多くの状態、たとえば、不妊症の軽減、性欲欠如もしくは勃起不全の是正、骨粗しょう症の是正、陰茎増大の促進、身長成長の促進、骨髄刺激の促進、貧血効果の反転、および食欲刺激のために与えられている。
【００３６】
[0061]いくつかの実施形態では、注射装置１００は、エピネフリン、アトロピン、ジヒドロエルゴタミン、スマトリプタン、抗生物質、抗うつ剤、血液凝固阻止剤、グルカゴン、ジアゼパム、ハロペリドール、アポモルヒネ、ラブノックス、およびトラドールのうちの１つまたは複数を注射するために使用することができる。他の実施形態では、注射装置１００は、Ｅｎｂｒｅｌ、Ｈｕｍｉｒａ、Ｌａｎｔｕｓ、Ｅｐｏｇｅｎ（Ｐｒｏｃｒｉｔ）、Ｎｅｕｌａｓｔａ、Ａｒａｎｅｓｐ、Ａｖｏｎｅｘ、ＰＥＧａｓｙｓ、Ｒｅｂｉｆ、Ｎｅｕｐｏｇｅｎ、Ｂｅｔａｓｅｒｏｎ、Ａｖａｓｔｉｎ、Ｒｅｍｉｃａｄｅ、Ｈｅｒｃｅｐｔｉｎ、Ｅｒｂｉｔｕｘ、Ｒｅｃｏｍｂｉｎａｔｅ、Ｃｅｒｅｚｙｍｅ、ＮｏｖｏＳｅｖｅｎ、Ｔｙｓａｂｒｉ、Ｓｙｎａｇｉｓ、Ｃｏｐａｘｏｎｅ、およびＫｏｇｅｎａｔｅ  ＦＳを含むがこれらに限定されない、バイオ後続品、生物学的製剤、および／またはペプチド薬を注射するために使用することができる。
【００３７】
[0062]他の実施形態では、注射装置１００は、副甲状腺ホルモン（「ＰＴＨ」）、およびエキセナチドなど様々な他の薬剤を注射するために使用することができる。また、注射装置１００は、（参照によりその全体が本明細書に組み込まれる）Ｐｈｙｓｉｃｉａｎｓ’  Ｄｅｓｋ  Ｒｅｆｅｒｅｎｃｅ（ＰＤＲ（登録商標））、６７版（２０１３）に列挙されている薬剤、以下に限定されないが、アレルゲン、抗アメーバ薬および抗トリコモナス剤、アミノ酸製剤、蘇生薬、鎮痛薬、鎮痛剤／制酸剤、麻酔薬、食欲抑制薬、制酸薬、抗蠕虫薬、抗アルコール製剤、抗関節炎薬、抗ぜんそく薬、抗菌剤および防腐剤、抗ウイルス性抗生物質、抗がん製剤、抗コリン作用薬阻害剤、血液凝固阻止剤、抗けいれん薬、抗糖尿病薬、下痢止め薬、抗利尿薬、抗遺尿症剤、抗線維素溶解剤、抗線維症薬（全身性）、整腸剤、抗真菌剤、抗ゴナドトロピン薬、抗ヒスタミン剤、抗高アンモニア剤、抗炎
症剤、抗マラリア剤、代謝拮抗物質、抗偏頭痛製剤、制吐薬、抗新生物薬、抗肥満製剤、駆虫剤、抗パーキンソン薬、止痒剤、解熱剤、抗けいれん薬および抗コリン作用薬、抗トキソプラズマ剤、鎮咳薬、抗めまい剤、抗ウィルス剤、生物学的製剤、バイオ後続品、ビスマス製剤、骨代謝調節薬、腸瀉下薬、気管支拡張薬、カルシウム製剤、循環器官用薬、中枢神経刺激薬、耳垢水、キレート剤、利胆薬、コレステロール低下薬および抗高脂血症薬、結腸内容物酸性化剤、感冒薬、うっ血除去薬、ジアゼパム、エピネフリン去痰薬および配合剤、利尿薬、催吐薬、酵素および消化剤、妊娠促進薬、フッ素製剤、ガラクトキネティック剤（galactokinetic  agent）、全身麻酔剤、老人病薬（geriatrics）、殺菌剤
、造血剤、痔疾薬、ヒスタミンＨ受容体拮抗剤、ホルモン、利胆剤、高血糖薬（hyperglycemic agents）、催眠薬、免疫抑制薬、緩下剤、粘液溶解薬、筋弛緩薬、麻薬拮抗剤、麻薬解毒剤、眼科用浸透脱水剤、耳製剤、分娩促進薬、副交感神経遮断薬、副甲状腺製剤、シラミ駆除剤、リン製剤、月経前治療薬、精神刺激薬、キニジン、放射性医薬品、呼吸刺激薬、塩代用品、殺疥癬虫薬、硬化剤、鎮静剤、交感神経遮断薬、交感神経作動薬、血栓溶解薬、甲状腺製剤、精神安定剤、結核製剤、尿酸排泄剤、尿酸性化剤、尿アルカリ化剤、尿路鎮痛剤、泌尿器洗浄液、子宮収縮剤、膣治療薬、ビタミン、ならびにＰＤＲ（登録商標）における上記のカテゴリーのそれぞれの下に列挙された各具体的な化合物および組成物を注射するために使用することができる。注射装置１００とともに使用され得る他のいくつかの他の薬剤には、エルゴカルシフェロール（カルシフェロール）、ジエチルスチルベストロール、ディプリバン（プロポフォール）、吉草酸エストラジオール、デカン酸フルフェナジン、フルベストラント、イントラリピッド、リポシン、デカン酸ナンドロロン、ネビド、ニュートラリピッド（nutralipid）、パクリタキセル、プロゲステロン、プログラフ、シピオン酸テストステロン、ズクロペンチキソール、およびハロペリドールドデカン酸エステルが含まれる。いくつかの実施形態では、薬剤は、大豆油、オレイン酸エチル、ヒマシ油、ゴマ油、サフラワー油、ラッカセイ油、ポリオキシエチル化されたヒマシ油（Ｃｒｅｍｏｐｈｏｒ（登録商標）ＥＬ）、ポリオキシル６０水添ヒマシ油（ＨＣＯ−６０）、綿実油、またはココナツ油に由来の薄い油に溶かされる。
【００３８】
[0063]いくつかの実施形態では、薬剤は、有害薬剤であり得る。本明細書で使用される「有害薬剤」は、毒物、細胞毒性薬剤、および／または、対象と接触すると重篤な影響を生じ得る他の危険な薬剤、さらに、高力価薬剤、低用量で強い生理的効果を有する薬剤である任意の１つまたは複数の薬剤を意味する。例示的な有害薬剤には、鎮痛薬、免疫調整剤、ＩＬ−１受容体拮抗剤、ＩＬ−２アルファ受容体拮抗剤、拒絶反応防止化合物、ホルモン剤、プロスタグランジン類、鎮静剤、抗コリン剤、パーキンソン病薬、高額薬剤、神経弛緩剤、組織壊死因子（ＴＮＦ）遮断剤、および他の危険な薬剤が含まれるがこれらに限定されない。本発明に従って注射装置１００とともに使用するのに適した有害薬剤の例には、参照によりその全体が本明細書に組み込まれる「Ｈａｚａｒｄｏｕｓ  Ａｇｅｎｔ
Ｉｎｊｅｃｔｉｏｎ  Ｓｙｓｔｅｍ」という名称の（２０１２年６月２１日に公開されたＰａｕｌ  Ｗｏｔｔｏｎらの）米国特許出願公開第２０１２／０１５７９６５号に開示されたものが含まれるがこれらに限定されない。特定の細胞毒性薬剤の例には、６−メルカプトプリン、６−チオイノシン酸、アザチオプリン、クロラムブシル、シクロホスファミド、サイトホスファン、シタラビン、フルオロウラシル、メルファラン、メトトレキサート、ウラムスチン、抗サイトカイン生物製剤、細胞受容体拮抗剤、細胞受容体類縁体、およびそれらの誘導体が含まれるがこれらに限定されない。高力価薬剤の例には、デキサメタゾン、プロゲステロン、ソマトスタチン、およびそれらの類縁体のようなステロイド類、テリパラチドのような生物活性ペプチド類、およびスコポラミンのような抗コリン薬が含まれるがこれらに限定されない。低用量で強い生理学的効果を有する薬剤の例には、抗高血圧薬および／または血圧降下調整薬が含まれるがこれらに限定されない。鎮痛薬の例には、フェンタニル、クエン酸フェンタニル、モルヒネ、メペリジン、および他のオピオイド類が含まれるがこれらに限定されない。免疫調整剤の例には、アダリムマブ（抗組織壊死因子モノクローナル抗体または抗ＴＮＦ）が含まれるがこれらに限定されない。Ｉ
Ｌ−１受容体拮抗剤の例には、アナキンラが含まれるがこれに限定されない。ＩＬ−２アルファ受容体拮抗剤の例には、ダクリズマブおよびバシリキシマブが含まれるがこれらに限定されない。拒絶反応防止化合物の例には、アザチオプリン、シクロスポリン、およびタクロリムスが含まれるがこれらに限定されない。ホルモン剤の例には、テストステロン、エストロゲン、成長ホルモン、インスリン、甲状腺ホルモン、卵胞刺激ホルモン（ＦＳＨ）、エピネフリン／アドレナリン、プロゲステロン、副甲状腺ホルモン、性腺刺激ホルモン放出ホルモン（ＧＨＲＨ）、黄体形成ホルモン放出ホルモン（ＬＨＲＨ）、反対の性別の人が接触すると副作用を引き起こす可能性があるホルモンなど他のホルモン類、およびそれらの誘導体が含まれるがこれらに限定されない。プロスタグランジン類の例には、ガンマ−リノレン酸、ドコサヘキサエン酸、アラキドン酸、およびエイコサペンタエン酸が含まれるがこれらに限定されない。鎮静剤の例には、アモバルビタール、ペントバルビタール、セコバルビタール、およびフェノバルビタールのようなバルビツール酸系、クロナゼパム、ジアゼパム、エスタゾラム、フルニトラゼパム、ロラゼパム、ミダゾラム、ニトラゼパム、オキサゼパム、トリアゾラム、テマゼパム、クロルジアゼポキシド、およびアルプラゾラムのようなベンゾジアゼピン系、アシュワガンダ、ピチュリ、ストライプドミントブッシュ（prostanthera  striatiflora）、カバ（カワカワ）、マンドレイク、カノコソウ、およびマリファナのようなハーブ系鎮静剤、エスゾピクロン、ザレプロン、ゾルピデム、ゾピクロンのような非ベンゾジアゼピン系鎮静剤（別名「Ｚ薬」）、ジフェンヒドラミン、ジメンヒドリナート、ドキシラミン、およびプロメタジンのような抗ヒスタミン薬、ならびに抱水クロラールのような他の鎮静剤が含まれるがこれらに限定されない。抗コリン剤の例には、ジサイクロミン、アトロピン、臭化イプラトロピウム、臭化オキシトロピウム、およびチオトロピウムが含まれるがこれらに限定されない。パーキンソン病薬の例には、レボドパ、ドーパミン、カルビドパ、ベンセラジド、コ−セラルドパ（co-ceraldopa）、コ−ベネルドパ（co-beneldopa）、トルカポン、エンタカポン、ブロモクリプチン、ペルゴリド、プラミペキソール、ロピニロール、ピリベジル、カベルゴリン、アポモルフィン、およびリスリドが含まれるがこれらに限定されない。高額薬剤の例には、ヒト成長ホルモンおよびエリスロポエチンが含まれるがこれらに限定されない。神経弛緩剤の例には、抗精神病薬類、ハロペリドールおよびドロペリドールのようなブチロフェノン類、クロルプロマジン、フルフェナジン、ペルフェナジン、プロクロルペラジン、チオリダジン、トリフルオペラジン、メソリダジン、ペリシアジン、プロマジン、トリフルプロマジン、レボメプロマジン、プロメタジン、およびピモジドのようなフェノチアジン類、クロルプロチキセン、クロペンチキソール、フルペンチキソール、チオチキセン、およびズクロペンチキソールのようなチオキサンテン類、クロザピン、オランザピン、リスペリドン、クエチアピン、ジプラシドン、アミスルプリド、アセナピン、パリペリドン、イロペリドン、ゾテピン、お���びセルチンドールのような非定型抗精神病薬類、ならびにアリピプラゾールおよびビフェプルノックスのような第三世代の抗精神病薬類が含まれるがこれらに限定されない。ＴＮＦ遮断剤の例には、エタネルセプトが含まれるがこれに限定されない。
【００３９】
[0064]いくつかの実施形態では、有害薬剤は、ボツリヌス毒素、注射可能な金、６−メルカプトプリン、６−チオイノシン酸、アザチオプリン、クロラムブシル、シクロホスファミド、サイトホスファン、シタラビン、フルオロウラシル、メルファラン、メトトレキサート、ウラムスチン、抗サイトカイン生物製剤、細胞受容体拮抗剤、細胞受容体類縁体、デキサメタゾン、プロゲステロン、ソマトスタチン、デキサメタゾンの類縁体、プロゲステロンの類縁体、ソマトスタチンの類縁体、テリパラチド、スコポラミン、抗高血圧薬、血圧降下調整薬、フェンタニル、フェンタニルクエン酸塩、モルヒネ、メペリジン、他のオピオイド類、アダリムマブ（抗組織壊死因子モノクローナル抗体または抗ＴＮＦ）、アナキンラ、ダクリズマブ、バシリキシマブ、アザチオプリン、シクロスポリン、タクロリムス、テストステロン、エストロゲン、成長ホルモン、インスリン、甲状腺ホルモン、卵胞刺激ホルモン（ＦＳＨ）、エピネフリン／アドレナリン、ガンマ−リノレン酸、ドコ
サヘキサエン酸、アラキドン酸、エイコサペンタエン酸、アモバルビタール、ペントバルビタール、セコバルビタール、フェノバルビタール、クロナゼパム、ジアゼパム、エスタゾラム、フルニトラゼパム、ロラゼパム、ミダゾラム、ニトラゼパム、オキサゼパム、トリアゾラム、テマゼパム、クロルジアゼポキシド、アルプラゾラム、アシュワガンダ、ピチュリ、ストライプドミントブッシュ、カバ（カワカワ）、マンドレイク、カノコソウ、マリファナ、エスゾピクロン、ザレプロン、ゾルピデム、ゾピクロン、ジフェンヒドラミン、ジメンヒドリナート、ドキシラミン、プロメタジン、抱水クロラール、ジサイクロミン、アトロピン、臭化イプラトロピウム、臭化オキシトロピウム、チオトロピウム、レボドパ、ドーパミン、カルビドパ、ベンセラジド、コ−セラルドパ、コ−ベレルドパ、トルカポン、エンタカポン、ブロモクリプチン、ペルゴリド、プラミペキソール、ロピニロール、ピリベジル、カベルゴリン、アポモルフィン、リスリド、ヒト成長ホルモン、エリスロポエチン、ハロペリドール、ドロペリドール、クロルプロマジン、フルフェナジン、ペルフェナジン、プロクロルペラジン、チオリダジン、トリフルオペラジン、メソリダジン、ペリシアジン、プロマジン、トリフルプロマジン、レボメプロマジン、プロメタジン、ピモジド、クロルプロチキセン、クロペンチキソール、フルペンチキソール、チオチキセン、ズクロペンチキソール、クロザピン、オランザピン、リスペリドン、クエチアピン、ジプラシドン、アミスルプリド、アセナピン、パリペリドン、イロペリドン、ゾテピン、セルチンドール、アリピプラゾール、ビフェプルノックス、エタネルセプト、上記のいずれかの誘導体、ならびに上記のいずれかの組合せから選択することができる。
【００４０】
[0065]注射装置１００は、注射毎に約３ｍＬまでの注射を提供することができるが、代替的な実施形態では、他の体積分が注射され得る。いくつかの実施形態では、注射装置１００は、注射毎に１ｍＬより多い注射を提供することができる。他の実施形態では、注射装置１００は、約０．２ｍＬから約０．３ｍＬの範囲の注射を提供することができる。
【００４１】
[0066]一実施形態では、注射装置１００は、水溶液に溶解された０．５ｍｌの薬剤を、約０．１秒、約０．２秒、約０．３秒、約０．４秒、約０．５秒、約０．６秒、約０．７秒、約０．８秒、約０．９秒、約１．０秒、または上記の時間から決定可能な任意の範囲（たとえば、約０．５秒から約１．０秒もしくは約０．４秒から約０．６秒）で注射することができる。別の実施形態では、注射装置１００は、油に溶解された０．５ｍｌの薬剤を、約５秒、約６秒、約７秒、約８秒、約９秒、約１０秒、約１１秒、約１２秒、約１３秒、約１４秒、約１５秒、または上記の時間から決定可能な任意の範囲（たとえば、約６秒から約７秒もしくは約５秒から約１５秒）で注射することができる。代替的な実施形態では、注射装置１００は、粘着性物質を、およそ表１および表２に示されるような駆出時間で注射することができる。他の体積および時間は、上述の情報ならびに表１および表２から決定可能である。
【００４２】
[0067]表１および表２は、注射装置１００の一実施形態に関して、粘性油の薬剤の観測された注射時間を示す。
【００４３】
【表１】
2018153647.tif 000004
【００４４】
【表２】
2018153647.tif 000005
【００４５】
[0068]例示的な実施形態によれば、注射装置１００は、予め充填されたシリンジ内に貯蔵された薬剤を注射するように構成することができる。吹込みガラスプロセスにより製造された予め充填されたシリンジは、有意な寸法公差およびむらを有する可能性がある。したがって、注射装置１００の特徴が、形状の不規則性に対応し、また、予め充填されたシリンジを注射装置１００内に適切に位置決めおよび配置する役割を担うことができる。ポリマーで形成された予め充填されたシリンジなど他の薬剤容器も収容され得る。さらに、一実施形態では、注射装置１００は、針支援式ジェット注射器として構成することができ、これは、約１０００ｐｓｉより小さい注射中のピーク圧力を提供し、一実施形態では５００ｐｓｉより小さく、別の実施形態では約４００ｐｓｉより小さい。一実施形態では、注射装置１００は、約３００ｐｓｉ、約３２５ｐｓｉ、約３５０ｐｓｉ、約３７５ｐｓｉ、約４００ｐｓｉ、約４２５ｐｓｉ、約４５０ｐｓｉ、約４７５ｐｓｉ、約５００ｐｓｉ、約５２５ｐｓｉ、約５５０ｐｓｉ、約５７５ｐｓｉ、約６００ｐｓｉ、約６２５ｐｓｉ、約６５０ｐｓｉ、約６７５ｐｓｉ、約７００ｐｓｉ、約７２５ｐｓｉ、約７５０ｐｓｉ、約７７５ｐｓｉ、約８００ｐｓｉ、約８２５ｐｓｉ、約８５０ｐｓｉ、約８７５ｐｓｉ、約９００ｐｓｉ、約９２５ｐｓｉ、約９５０ｐｓｉ、約９７５ｐｓｉ、約１０００ｐｓｉ、約１０２５ｐｓｉ、またはピーク圧力から決定可能な任意の範囲（たとえば、約５００ｐｓｉから約６５０ｐｓｉ、もしくは約１０００ｐｓｉから約１０２５ｐｓｉ）の注射中のピーク圧力を提供することができる。注射の終わりに薬剤に加えられる圧力は、一実施形態では、少なくとも約８０ｐｓｉであり、別の実施形態では、少なくとも約９０ｐｓｉであり、別の実施形態では、少なくとも約１００ｐｓｉである。一実施形態では、注射の終わりに薬剤に加えられる圧力は、約５０ｐｓｉ、約６０ｐｓｉ、約７０ｐｓｉ、約８０ｐｓｉ、約９０ｐｓｉ、約１００ｐｓｉ、約１１０ｐｓｉ、約１２０ｐｓｉ、約１３０
ｐｓｉ、または圧力から決定可能な任意の範囲（たとえば、約５０ｐｓｉから約６０ｐｓｉ、もしくは約１００ｐｓｉから約１１０ｐｓｉ）である。一実施形態では、初期圧力は約３３０ｐｓｉとすることができ、最終圧力は約１８０ｐｓｉとすることができ、他の実施形態では、初期圧力は約４００ｐｓｉとし、注射の終わりで約３００ｐｓｉに低下させることができる。これらの例示的な圧力は、たとえば、約０．２ｍＬ／ｓｅｃから約１．２０ｍＬ／ｓｅｃの流量をもたらし、一実施形態では約１．０ｍＬ／ｓｅｃの流量をもたらす。一実施形態では、流量は約０．２ｍＬ／ｓｅｃより大きい。一実施形態では、注射装置１００は、射出が難しい薬剤の迅速な射出のために必要とされるような、エネルギー源１２０、たとえば高力ばね（high  force  spring）を含むことができる。一実施形態
では、エネルギー源１２０は、約１８ｌｂ（ｌｂ：ポンド）の荷重容量、約１８．５ｌｂの荷重容量、約１９ｌｂの荷重容量、約１９．５ｌｂの荷重容量、約２０ｌｂの荷重容量、約２０．５ｌｂの荷重容量、約２１ｌｂの荷重容量、約２１．５ｌｂの荷重容量、約２２ｌｂの荷重容量、約２２．５ｌｂの荷重容量、約２３ｌｂの荷重容量、または上記の荷重容量から決定可能な任意の範囲（たとえば、約１８ｌｂの荷重容量から約２３ｌｂの荷重容量、もしくは約１８ｌｂの荷重容量から約１９ｌｂの荷重容量）の高力ばねである。高力ばねは、薬物の迅速な送達が全用量の注射を保証するために重要な状況で所望されることがあり、これは、ユーザが時期尚早に注射器を注射部位から除去するのを防止することになる。薬剤は、高い粘度のため、または、それらの粘度と、２９ゲージの予め充填されたシリンジのような微細な穴の針を使用して薬剤を送達する治療上の必要性との組合せのため、射出が難しい可能性がある。注射が難しい薬剤のためのこれらの例示的な高ばね力の結果として、約０．０３ｍＬ／ｓｅｃから約１．０ｍＬ／ｓｅｃの流量が生じ得る。
【００４６】
[0069]一実施形態では、使用される針は、２２ゲージと２９ゲージとの間とすることができる。いくつかの実施形態では、使用される針は２５ゲージと２８ゲージとの間であり他の実施形態では、およそ２７ゲージであるが、他の要素が協働的に所望の注射をもたらすように構成される場合、代替的に他の針ゲージを使用することができる。いくつかの実施形態では、注射装置１００が注射前に手動の針挿入で動作するように構成されているとき、折り曲がる危険なしに薄壁の針が使用され得る。水性薬剤を発射する特定のジェット注射器の実施形態では、発射機構、薬剤容器、針、およびエネルギー源は、針内の平均流速度が、少なくとも約１，０００ｃｍ／ｓｅｃ、いくつかの実施形態では、少なくとも約１，３００ｃｍ／ｓｅｃから最大約３，０００ｃｍ／ｓｅｃ、他の実施形態では、最大約８，０００ｃｍ／ｓｅｃで生じるように構成される。一実施形態では、注射中の平均流速度は、約１，３００ｃｍ／ｓｅｃと約３，０００ｃｍ／ｓｅｃとの間、または約２，０００ｃｍ／ｓｅｃに到達するか、またはその前後の値になる。一実施形態では、注射中の平均流速度は、約５００ｃｍ／ｓｅｃ、約１，０００ｃｍ／ｓｅｃ、約１，５００ｃｍ／ｓｅｃ、約２，０００ｃｍ／ｓｅｃ、約２，５００ｃｍ／ｓｅｃ、約３，０００ｃｍ／ｓｅｃ、約３，５００ｃｍ／ｓｅｃ、約４，０００ｃｍ／ｓｅｃ、約４，５００ｃｍ／ｓｅｃ、約５，０００ｃｍ／ｓｅｃ、約５，５００ｃｍ／ｓｅｃ、約６，０００ｃｍ／ｓｅｃ、約６，５００ｃｍ／ｓｅｃ、約７，０００ｃｍ／ｓｅｃ、約７，５００ｃｍ／ｓｅｃ、約８，０００ｃｍ／ｓｅｃ、または平均流速度から決定可能な任意の範囲（たとえば、約１，０００ｃｍ／ｓｅｃから約１，５００ｃｍ／ｓｅｃ、もしくは約１，５００ｃｍ／ｓｅｃから約２，０００ｃｍ／ｓｅｃ）に到達するか、またはその前後の値になる。一実施形態では、注射中の平均流速度は約７５０ｃｍ／ｓｅｃより大きい。一実施形態では、注射中の平均流速度は約１２５０ｃｍ／ｓｅｃより大きい。一実施形態では、注射中の平均流速度は約５，０００ｃｍ／ｓｅｃより小さい。一実施形態では、注射中の平均流速度は約３，０００ｃｍ／ｓｅｃより小さい。一実施形態では、注射中の平均流速度は約２，０００ｃｍ／ｓｅｃより小さい。ジェット注射を生じるのに使用される速度は、他のタイプの薬剤に応じて、たとえばそれらの粘度に基づいて変わる。いくつかの粘性薬剤の場合、例示的な高ばね力が使用されて、約１００ｃｍ／ｓｅｃから最大約１０００ｃｍ／ｓｅｃまでの流速度を生じ得る。より弱いエネルギー源および／またはより大きい針が、たとえば
、従来の低圧力自動注射器の実施形態において、より遅い速度、ならびにより低い圧力および／または流量を得るために使用され得る。そのような実施形態は、ハウジングに対する皮膚接触部材の近位方向の移動のときに発射前状態から発射状態へ移動する際のトリガ係合部材と保持部との間の軸方向の回転から利点を得ることもできる。その例は、回転運動に関わらないトリガ設計に適用され得るばね装荷部品の間の摩擦の低減であるが、これに限定されない。
【００４７】
[0070]一実施形態では、図１に示されるように、例示的な注射装置１００は、外側ハウジング１０２およびハウジング端部／端部キャップ１０４を含むことができる。図１に示されるように、一実施形態では、ハウジング端部／端部キャップ１０４は、ハウジング１０２の近位端に結合される。注射装置１００はさらに、外側ハウジング１０２内に収容される様々な部品および／または組立体を含むことができる。図１に示されるように、これらの部品は、ガード１０６、たとえばスリーブ１１６のような容器支持体、発射機構１０８、薬剤チャンバ１１０、針１１２、およびばね１１４を含むことができる。図１に示されるように、外側ハウジング１０２は単一部品とすることができ、あるいは代替的に、外側ハウジング１０２は、たとえばスナップフィット接続、プレスフィット接続、ねじ係合、接着、または溶接などを介して互いに結合できる複数部品の組立体とすることができる。
【００４８】
[0071]図１に示されるように、一実施形態では、スリーブ１１６は、たとえばスナップフィット接続、プレスフィット接続、ねじ係合、接着、または溶接などを介して、少なくとも部分的に外側ハウジング１０２内に収容され、外側ハウジング１０２に装着される。図７Ａおよび図７Ｂに示されるように、スリーブ１１６は、ハウジング１０２の開口部に係合するように構成された突出部１１６８を含むことができる。スリーブ１１６は薬剤チャンバ１１０を保持するように構成される。薬剤チャンバ１１０は、その遠位端において針１１２を含みうる。いくつかの例示的な実施形態では、薬剤チャンバ１１０は、たとえば、分離されたガラスアンプルおよび針、または予め充填されたシリンジを含んでもよく、スリーブ１１６それ自体が一体的な薬剤チャンバを含んでもよい。一実施形態では、薬剤チャンバ１１０にプランジャ１１８が設けられる。プランジャ１１８は、発射機構１０８のラム１２３２に関連付けられる。注射中、ラム組立体１２２は、発射機構１０８のエネルギー源１２０により付勢されて、プランジャ１１８を遠位に、薬剤チャンバ１１０内により深く変位させ、針１１２を通して薬剤を排出する。一実施形態では、針１１２は、ユーザの皮膚を貫通するように構成された注射端１１２ａ、および薬剤チャンバ１１０と流体連通した中空ボア１１２ｂを含むことで、注射中に薬剤チャンバ１１０からユーザへの薬剤の送達を促進する。図１は、発射前状態の注射装置１００を示す。注射装置１００の動作については、その様々な段階および位置を含めて、さらに詳細に後述される。
【００４９】
[0072]また、図１に示されるように、注射装置１００は、いくつかの実施形態では発射機構１０８も含む。一実施形態では、発射機構１０８は、ハウジング１０２内に摺動可能に装着されたラム組立体１２２、およびエネルギー源１２０を含む。例示的な実施形態では、エネルギー源１２０は、圧縮ばね１２０を含むが、エラストマもしくは圧縮ガスばね、ガス発生器、または他の適切なエネルギー蓄積部材のような他の適切なエネルギー源を使用することもできる。図１では、ラム組立体１２２は発射前の最も近位の位置にある。注射中、ラム組立体１２２は、エネルギー源１２０により解放されたエネルギーによって遠位方向に付勢される。注射が完了すると、発射ラム組立体１２２は最も遠位の位置に配置される。この遠位位置では、ユーザがそれ以降注射を試みることができないように、ガード１０６がロックアウトされて針先端部を越えて延び、それゆえ針ガード１０６は鋭端の保護として機能することができる。ラム組立体１２２は、単一部品として示されているが、たとえばスナップフィット接続、プレスフィット接続、ねじ係合、接着、溶接、または他の適切な結合を介して互いに結合できる複数部品の組立体とすることができる。ラム
組立体１２２は、好ましくは、薬剤チャンバ１１０内に貯蔵された薬剤を排出するために、注射装置１００の発射を促進するように構成され得る様々な特徴を含む。本開示のいくつかの例示的な実施形態によれば、注射装置１００のトリガ機構は、ラム組立体１２２と、保持部３０６を含むことができる浮動トリガ部材３００と、ラム保持部材１０４２とを含むことができる。
【００５０】
[0073]一実施形態では、図２に示されるように、注射装置１００はキャップ２００を含む。キャップ２００は、外側ハウジング１０２の遠位端に取外し可能に取り付けることができる。一実施形態では、キャップ２００は、スリーブ１１６の遠位端に取外し可能に取り付けることができる。キャップ２００は、たとえば、ねじ係合を介してハウジング１０２の遠位端に取外し可能に取り付けることができる。ハウジング端部／端部キャップ１０４は、ハウジング１０２の近位端の一部（たとえば開口部）に係合して、ハウジング端部／端部キャップ１０４をハウジング１０２に結合するように構成された機能部（たとえば突出部）を含むことができる。キャップ２００は、注射装置１００に取り付けられたときに、ガード１０６に不注意に力が加えられることでは注射が引き起こされないことを保証することができる。一実施形態では、キャップ２００は、２つの係合機能部を含む。図２に示されるように、キャップ２００は、係合機能部２０２および２０４を含むことができる。係合機能部２０２および２０４は、注射装置１００の他の機能部とねじ係合するように構成されたスレッド（ねじ山）とすることができる。たとえば、係合機能部２０２は、ハウジング１０２の遠位端にキャップ２００を固定するように構成されてもよく、スリーブ１１６の遠位部分にねじ係合するように構成されてもよい。一実施形態では、係合機能部２０４は、ガード１０６の近位方向への変位を防止するために、ガード１０６の機能部（たとえばスレッド）にねじ係合するように構成されてもよい。
【００５１】
[0074]図２に示されるように、キャップ２００は、各種の規則的または不規則な形状を有し、その軸に沿って見て非円形の断面であってもよい。その初期の閉位置は、隣接するハウジングの部分の形状に整合するか、または実質的に一致する。一実施形態では、機能部２０２および２０４は、複数のスレッド開始点を有する複数のスレッドを含み、スレッド開始点の１つだけが、初期の閉位置でキャップをハウジングに揃えることができる。したがって、キャップが取り外され交換されると、ユーザにより間違った開始点が選択される可能性が生じ、その結果、キャップはもはや注射器ハウジングに整合せず、不正変更が示される。一実施形態では、３つのスレッドが使用されるため、取り外されて交換されたキャップが正しく嵌合しないことに基づいて即座に明らかになる３分の２の可能性がある。
【００５２】
[0075]図１に示されるように、一実施形態では、ハウジング１０２は、スリーブ１１６をハウジング１０２に結合し固定するためにスリーブ１１６に係合するように構成された開口部を含み、また、注射装置１００が発射されたかどうかについて視覚的に示すことができる少なくとも１つの窓を含む。たとえば、発射前の状態において、窓はユーザが薬剤チャンバ１１０を貯蔵された薬剤とともに視認できるようにし、発射後の状態において、窓は発射機構１０８の一部のような１つまたは複数の内部部品が視認されるようにしてもよい。そのような内部部品は、注射装置１００が発射されたことをユーザに警告するように特に選択された色とすることができる。この色は、一実施形態では、存在するまたは有意に存在する他の色とははっきりと異なるまたは対比されるように、ユーザ（一実施形態では通常の視覚を有する）が発射の前に注射器において視認可能な他の色と十分に異なる色である。たとえば、一実施形態では、この色は、目立つように、発射前のまたはユーザの発射前により視認可能な注射装置１００の他のすべての部品と異なる（たとえば完全に新しい色系統を導入する）。一実施形態では、発射の後に現れる新しい色は、色相環の非類似の部分からの色であり、または注射装置１００において視認可能な色に対する反対色もしくは補色とすることができる。一実施形態では、新しい色は、赤または橙色などのよ
うに注意を表す。一実施形態における発射前状態での注射器における視認可能な色、さらに一実施形態においてはキャップ２００が注射器上にあるとき、および／または、ないときを含むそのような色は、たとえば灰色または青である。一実施形態では、注射器が発射されると赤色が導入される。一実施形態では、この新しい色は、発射後であるが伸張位置においてガード１０６がロックアウトされる前に導入することができる。
【００５３】
[0076]一実施形態では、注射装置１００は、図３Ａ、図３Ｂ、および図３Ｃに示されるように、浮動トリガ部材３００を含む。浮動トリガ部材３００は、近位部分３１４および遠位部分３１６を有することができる。一実施形態では、浮動トリガ部材３００は、開口部３０２を含むことができる。さらに、浮動トリガ部材３００は、遠位部分３１６に開口部３０２を含むことができる。開口部３０２は、注射装置１００の発射を促進する際にラム組立体１２２のトリガ係合部材１２３０を受容して係合するように構成された保持部３０６を含むことができる。開口部３０２は、一実施形態では、ラム組立体１２２のトリガ係合部材１２３０に係合して、それらが２つの位置のうちの１つに合わせられるように構成される。たとえば、第１の位置３０２ａ（たとえば保持位置）では、ラム組立体１２２のトリガ係合部材１２３０の位置を保持部３０６によって制止されるように合わせ、それにより発射機構１０８が薬剤を発射し排出するのを防止する。第２の位置３０２ｂ（たとえば発射位置）では、開口部３０２が発射部３０４を含み、ラム組立体１２２のトリガ係合部材１２３０が、トリガ係合部材１２３０の位置を広がることができるように合わせ、それにより、発射機構１０８による発射が可能になる。図３Ｂは、第１の位置（３０２ａ）に合わせられたトリガ係合部材１２３０を示し、図３Ｃは、第２の位置（３０２ｂ）に合わせられたトリガ係合部材１２３０を示す。さらに、開口部３０２（たとえば第１の位置３０２ａ）の保持部３０６は、一実施形態では、第１および第２の位置から浮動トリガ部材３００の回転を促進するように湾曲する。浮動トリガ部材３００の遠位部分３１６の外表面は、カム面３０８を含むことができる。一実施形態では、トリガ係合部材１２３０の一部が任意選択で残部３２０に係合し、浮動トリガ部材３００が回転するとトリガ係合部材１２３０が残部３２０を解放して発射機構１０８による発射を可能にする。
【００５４】
[0077]浮動トリガ部材の近位部分３１４は、図６を参照して後でさらに説明されるリップ３１２を有するフランジ３１０を含むことができる。
【００５５】
[0078]一実施形態では、図１に示されるように、エネルギー源１２０（たとえば、ばね）がガード１０６から分離される。一実施形態では、近位端エネルギー源１２０がハウジング１０２に結合される。エネルギー源１２０がガード１０６から分離されることにより、浮動トリガ部材３００の回転の見かけの摩擦が著しく低減される。次いで、これが、図９Ａおよび図９Ｂを参照して後で説明されるように、伸張位置から発射位置へガード１０６を移動するために必要な力の大きさを実質的に低減させる。詳細には、エネルギー源１２０によって引き起こされる部品の圧縮が実質的に取り除かれ、それにより、注射装置１００の使用中のガード１０６の移動に対する見かけの摩擦および抵抗の大きさを著しく低減させる。
【００５６】
[0079]図１に示されるように、一実施形態では、注射装置１００はまた、ハウジング端部／端部キャップ１０４を含む。ハウジング端部／端部キャップ１０４の一実施形態が図５Ａに示される。図５Ａに示されるように、一実施形態では、ハウジング端部／端部キャップ１０４は、本体部１０４０およびラム保持部材１０４２を含む。一実施形態では、ラム保持部材１０４２は突出部であり、発射機構１０８のトリガ係合部材に係合するように構成される。たとえば、図４に示されるように、一実施形態では、ラム保持部材１０４２は、ベル形の突出部であり、発射機構１０８の相補的な形状の機能部（たとえば突出部）１２３０ａに係合される。図４に示されるように、例示的な実施形態では、ラム保持部材１０４２は、溝１０４２ａおよび膨張部１０４２ｂを含むことができ、発射機構１０８の
機能部１２３０ａは、注射装置１００の発射を防止するために、膨張部１０４２ｂを保持するように溝１０４２ａに整合するように構成することができる。一実施形態では、ラム保持部材１０４２、およびラム保持部材１０４２に係合する発射機構１０８の機能部１２３０ａは、円形断面を含むことで、注射装置１００の発射中にラム保持部材１０４２に対する発射機構１０８の機能の回転を可能にする。さらに、図５Ａに示されるように、本体部１０４０は、ハウジング端部／端部キャップ１０４をハウジング１０２に結合するために、外側ハウジング１０２の開口部に係合するように構成された突出部１０４０ａを含むことができる。図５Ｂは、ハウジング端部／端部キャップ１０４の別の実施形態を示す。
【００５７】
[0080]例示的な実施形態では、ハウジング端部／端部キャップ１０４は、図５Ａに示されるように、任意選択で係合部材１０４４を含む。図６Ａおよび図６Ｂでさらに説明されるように、浮動トリガ部材３００が第１の位置から第２の位置に回転すると、係合部材１０４４は浮動トリガ部材３００のリップ３１２に係合する。係合部材１０４４およびリップ３１２を有するいくつかの実施形態では、浮動トリガ部材３００が少なくとも部分的に第１の位置から第２の位置に移動するとき、係合部１０４４によって引き起こされる浮動トリガ部材３００上の抵抗を克服するために閾値離脱力が必要とされる。いくつかの実施形態では、この離脱機能部は、浮動トリガ部材３００の意図しない回転を防止するための安全装置として機能する。
【００５８】
[0081]図７Ａおよび図７Ｂに示されるように、一実施形態では、スリーブ１１６は、環状構造１１６０、カップリング構造１１６２、および本体部１１６４を含む。カップリング構造１１６２は、スリーブ１１６の遠位部分に配置することができ、また、キャップ２００に解放可能に係合するように構成することができる。たとえば、図１および図２に見られるように、カップリング構造１１６２は、スリーブ１１６とキャップ２００との間のねじ係合を提供するように構成されたスレッドを含むことができる。さらに、スリーブ１１６は、薬剤チャンバ１１０を固定するように構成された本体部１１６４を含むことができる。本体部１１６４は、溝１１６４ａのようなガイドを含むことができ、ガイドは、ガード１０６の機能に係合して、ガード１０６の軸方向変位の位置を合わせてそれをガイドするように構成される。図１３に示されるように、スリーブ１１６の近位端は、薬剤チャンバ１１０の近位部分を支持および固定するように構成された薬剤チャンバ支持体１１６６を含むことができる。たとえば、支持体１１６６は、シリンジの近位端を保持するように構成されたシリンジ支持体（たとえば、予め充填されたシリンジのフランジ）として構成し、発射中に力が加えられた際に薬剤チャンバ１１０を支持することができる。さらに、支持体１１６６は、エラストマまたはラバーを含むことができ、また注射中に薬剤チャンバ１１０の面に加えられた力を分散し、輸送中の衝撃または使用中の不注意の破損から薬剤容器を保護するように構成することができる。加えて、図７Ａおよび図１３に示されるように、スリーブ１１６は、突出部１１６８のような様々な機能部を含むことができ、これは、スリーブ１１６を外側ハウジング１０２に結合させるように構成される。たとえば、突出部１１６８は、軸対称にされ、外側ハウジング１０２の開口部１０２ｂに係合して、スリーブ１１６を外側ハウジング１０２に固定するように構成することができる。例示的な実施形態では、突出部１１６８は、脚部１１７０に配置することができ、脚部１１７０は、軸対称にされ、外側ハウジング１０２の機能部に係合するように構成することができる。加えて、スリーブ１１６は、脚部１１７４に配置されたロッキング突出部１１７２のようなロック機能を含んでもよい。これは軸対称であってもよく、発射機構１０８のガード１０６の機能部に係合するように構成されてもよい。その結果として、注射装置１００をロックアウトして、既に発射した注射装置１００をユーザが使用しようとするのを阻止することができる。
【００５９】
[0082]一実施形態では、環状構造１１６０は、スリーブ１１６を、薬剤チャンバ１１０（たとえばガラス薬剤チャンバ１１０）、発射機構１０８、およびガード１０６に係合す
るように構成された、いくつかの機能部を含む。たとえば、環状構造１１６０は、針１１２が受容される開口部を含むことができる。さらに、環状構造１１６０は、ガード１０６の脚部を受容するように構成されうる軸対称の開口部１１７８を含むことができる。加えて、環状構造１１６０は、薬剤チャンバ１１０の遠位部分を支持し、また発射機構１０８に係合して薬剤の排出中に発射機構１０８のさらなる軸方向変位を防止するように構成されてもよい。これらの部品の動作はさらに詳細に後述される。
【００６０】
[0083]図１に示されるように、一実施形態では、注射装置１００は、少なくとも部分的に外側ハウジング１０２内に摺動可能に装着されたガード１０６を含み、ガード１０６は、注射装置１００の発射を作動させるためにトリガ部材３００に係合するように構成される。図９Ａおよび図９Ｂに示されるように、一実施形態では、ガード１０６は、伸張（たとえば、遠位、保護）位置および引込み（たとえば、近位）位置のそれぞれの間で、外側ハウジング１０２に対して摺動可能かつ移動可能である。一実施形態では、伸張位置においてガード１０６は針１１２を覆い、引込み位置において針１１２はガード１０６に覆われずに露出される。たとえば、図９Ａは、ガード１０６を伸張位置で示し、図９Ｂは、ガード１０６を引込み位置で示す。図１に示されるように、一実施形態では、ガード１０６は、ばね１１４を介して伸張位置に向かって弾性的に付勢される。ばね１１４は、たとえば、スリーブ１１６の環状構造１１６０の遠位面とガード１０６の遠位端の内側面との間に配置されてもよい。
【００６１】
[0084]例示的な実施形態では、ガード１０６は、遠位部分１０６０および脚部１０６２を含む。例示的な実施形態では、ガード１０６の遠位端は皮膚接触部材を含む。遠位部分１０６０は、針１１２が通過できる開口部、および突出部１０６０ａを含む。例示的な実施形態では、ガード１０６がキャップ２００の係合機能部２０４に係合されたときに近位方向に変位できないように、突出部１０６０ａがキャップ２００の係合機能部２０４に係合するように構成されてもよい。例示的な実施形態では、ガード１０６は停止面１０７０を含む。例示的な実施形態では、停止面１０７０は、ガード１０６の近位方向変位を制限するように、スリーブ１１６の環状構造１１６０の内側面に当接するように構成することができる。たとえば、ガード１０６が注射中にユーザにより加えられる力のもとで近位方向に変位するとき、停止面１０７０はスリーブ１１６の環状構造１１６０の内側面に接触し、それによってガード１０６はさらに近位方向へ変位することができなくなる。
【００６２】
[0085]一実施形態では、ガード１０６の脚部１０６２は、環状構造１１６０の開口部１１７８に受容されるように構成される。さらに、脚部１０６２は、ガード１０６が軸方向に変位するときに脚部１０６２の位置を合わせ、またガイドするのを容易にするために、スリーブ１１６の溝１１６４ａに係合するように構成されたリッジ（尾根部）１０６２ａを含むことができる。図８の例示的な実施形態に示されるように、脚部１０６２はまた、脚部１０６２の近位端におけるカム面１０６４のような発射開始部材を含む。例示的な実施形態では、脚部１０６２およびカム面１０６４は軸対称とすることができる。カム面１０６４は、注射装置１００の発射を開始して薬剤チャンバ１１０に貯蔵された薬剤の注射を実行する際に、トリガ部材３００に係合するように構成される。また、ガード１０６が伸張位置から引込み位置へ変位するときに脚部１０６２が発射機構１０８内に受容されやすいように、脚部１０６２の近位端は傾斜させられてもよい。図９Ａおよび図９Ｂに示されるように、例示的な実施形態では、カム面１０６４は、浮動トリガ部材３００のカム面３０８に係合するように構成される。一実施形態では、脚部１０６２は、傾斜面１０６８ａをさらに含むばね１０６８の上に配置された突出部１０６６を含む。図１３に示されるように、突出部１０６６は、伸張位置でガード１０６を付勢するばね１１４により加えられた力に対抗するように、スリーブ１１６の脚部１１７０の近位面に係合するように構成することができる。さらに、ガード１０６の脚部１０６２の傾斜面１０６８ａは、スリーブ１１６の脚部１１７０の内側面に係合するように構成されてもよい。その結果、ガード
１０６が伸張位置から引込み位置に変位するとき、ガード１０６の脚部１０６２の傾斜面１０６８ａがスリーブ１１６の脚部１１７０の内側面に係合し、注射装置１００の内側に向かってガード１０６の脚部１０６２のばね１０６８を付勢する。
【００６３】
[0086]図９Ａは、発射前の「使用準備完了（ready-to-use）」状態におけるガードのカム面１０６４と、浮動トリガ部材３００のカム面３０８との係合を示す。図９Ｂは、トリガされた、または「ちょうど発射された（just-fired）」状態におけるガードのカム面１０６４と浮動トリガ部材３００のカム面３０８との係合を示す。ガード１０６が近位方向に移動すると、ガード１０６の軸方向運動が、カム面１０６４および３０８の係合を介して浮動トリガ部材３００の回転運動に変換される。
【００６４】
[0087]図１０Ａおよび図１０Ｂに示されるような例示的な実施形態では、ラム１２３２を含むラム組立体１２２が、遠位部分１２２０および近位部分１２２２を含むことができる。これらは、エネルギー源１２０の座部として機能するように構成され得るリップ、棚のような機能部１２２４によって分離される。図１３に示されるように、例示的な実施形態では、エネルギー源１２０としての圧縮ばねを、ハウジング１０２の近位端と機能部１２２４との間に配置することができる。図４に示されるように、例示的な実施形態では、ハウジング１０２は、エネルギー源１２０の座部として機能するように構成されたリップのような機能部１０２ａを含む。機能部１０２ａは、エネルギー源１２０がハウジング１０２内の機能部１０２ａと接触したときに圧縮ばねの回転による摩擦を低減する要素として設計されるか、それらの要素を含むことができる。遠位部分１２２０を含むラム組立体１２２は、実質的に円筒形にされてもよく、スリーブ１１６およびガード１０６の少なくとも一部を同軸に受容するように構成されてもよい。また、遠位部分１２２０は、スリーブ１１６の脚部１１７０、およびガード１０６の突出部１０６６を受容するように構成された開口部１２２６を含むことができる。
【００６５】
[0088]一実施形態では、近位部分１２２２は、脚部１２２８、ラム１２３２、およびトリガ係合部材１２３０を含む。トリガ係合部材１２３０は突出部として示されているが、代替的な実装形態も考えられる。トリガ係合部材１２３０は、発射前状態でラム保持部材に保持され、リガ係合部材の回転の際に解放され得る任意の機能部（たとえば、細長いタブ、薄いタブ、凹部、突起部、膨張部、スレッドなど）を含むことができる。
【００６６】
[0089]図９Ａおよび図９Ｂに示されるように、一実施形態では、ガード１０６のカム面１０６４、および浮動トリガ部材３００のカム面３０８は、装置の発射のためにガード１０６を伸張位置から引込み位置に押圧するために必要な、選択された力および移動距離を達成するために、装置の長手方向軸に対して所定の角度に向けられる。いくつかの実施形態では、カム面は、軸に対して１５°と７５°との間の角度とされ、一実施形態では、約２０°と４５°との間の角度である。一実施形態では、カム面は軸に対して約３０°の角度である。
【００６７】
[0090]図１０Ａおよび図１０Ｂに示されるように、脚部１２２８は、スリーブ１１６のロッキング突出部１１７２に係合するように構成された開口部１２３４を含む。これ以外の特定の送達体積を収容する開口部１２３４が、スリーブ１１６のロッキング突出部１１７２に係合するように遠位部分１２２０に構成されてもよいことが理解されるであろう。図１０に示されるように、たとえば、スリーブ１１６のロッキング突出部１１７２は、注射装置１００が発射された後にラム組立体１２２の開口部１２３４に係合され、注射装置１００をロックアウトして、それ以降は針１１２を露出するガード１０６の引込みをユーザが開始できないようにする。ラム１２３２は、プランジャ１１８に関連付けられ、注射中に薬剤チャンバ１１０に含まれる薬剤を排出するためにエネルギー源１２０の力のもとでプランジャ１１８を遠位方向に変位させるように構成される。加えて、トリガ係合部材
１２３０は、近位部分１２２２の近位端に配置され、浮動トリガ部材３００の開口部３０２、およびハウジング端部／端部キャップ１０４のラム保持部材１０４２に係合するように構成することができる。トリガ係合部材１２３０と、開口部３０２およびラム保持部材１０４２との係合は、開口部３０２のトリガ係合部材１２３０の整合と同様に、注射装置１００の発射を制御し、実行可能にすることができる。たとえば、トリガ係合部材１２３０は、ラム保持部材１０４２の溝１０４２ａに係合するように構成された膨張部１２３０ａ、およびラム保持部材１０４２の膨張部１０４２ｂに係合するように構成された形状１２３０ｂを含むことができる。上述したように、トリガ係合部材１２３０およびラム保持部材１０４２は、好ましくは、注射装置１００の発射中に浮動トリガ部材３００の回転を可能にするために、円形断面を含む。図１１は、トリガ係合部材１２３０（たとえば突出部）とラム保持部材１０４２の一実施形態との係合の実施形態の近接図である。
【００６８】
[0091]いくつかの実施形態では、図１７Ａ、１７Ｂ、１７Ｃ、および１７Ｄに示されるように、ラム組立体１２２のトリガ係合部材１２３０の膨張部１２３０ａとハウジング端部／端部キャップ１０４のラム保持部材１０４２との係合が、ラッチ保持角度１７２を形成する。一実施形態では、ラッチ保持角度１７２は、軸１７０、およびラム保持部材１０４２の溝１０４２ａの遠位部分とラム組立体１２２の膨張部１２３０ａとの接触面によって規定される。いくつかの実施形態では、突出部１２３０およびラム保持部材１０４２は、係合されたとき、約１０°、約１１°、約１２°、約１３°、約１４°、約１５°、約１６°、約１７°、約１８°、約１９°、約２０°、約２１°、約２２°、約２３°、約２４°、約２５°、約２６°、約２７°、約２８°、約２９°、約３０°、約３１°、約３２°、約３３°、約３４°、約３５°、約３６°、約３７°、約３８°、約３９°、約４０°、約４１°、約４２°、約４３°、約４４°、約４５°、約４６°、約４７°、約４８°、約４９°、約５０°、約５１°、約５２°、約５３°、約５４°、約５５°、約５６°、約５７°、約５８°、約５９°、約６０°、約６１°、約６２°、約６３°、約６４°、約６５°、約６６°、約６７°、約６８°、約６９°、約７０°、約７１°、約７２°、約７３°、約７４°、約７５°、約７６°、約７７°、約７８°、約７９°、約８０°、約８１°、約８２°、約８３°、約８４°、約８５°、約８６°、約８７°、約８８°、約８９°、または上記の角度から決定可能な任意の範囲（たとえば、約３９°から約４１°もしくは約７９°から約８１°）のラッチ保持角度１７２を形成するような寸法および形状とされる。
【００６９】
[0092]いくつかの実施形態では、発射前状態において、トリガ係合部材１２３０が、トリガ部材の開口部（たとえば、浮動トリガ部材３００の開口部３０２またはトリガ部材１４００の開口部１４０８（後でより詳細に説明される））の壁に係合され、ラム組立体１２２の膨張部１２３０ａとハウジング端部／端部キャップ１０４のラム保持部材１０４２とが係合され、エネルギー源１２０がラム組立体１２２に作用する。一実施形態では、膨張部１２３０ａとラム保持部材１０４２との係合が、エネルギー源１２０によってラム組立体１２２に加えられる遠位方向の力に対抗してラム組立体１２２を所定の位置に保持する。一実施形態では、発射前状態において、エネルギー源１２０が軸方向の力をラム組立体１２２に加え、その力がラム組立体１２２の突出部１２３０の膨張部１２３０ａをラム保持部材１０４２の膨張部１０４２ｂに係合させる。一実施形態では、ラム組立体１２２のトリガ係合部材１２３０とラム保持部材１０４２との係合が、エネルギー源１２０からラム保持部材１０４２まで力を伝達する。一実施形態では、膨張部１２３０ａは、膨張部１２３０ａがラム保持部材１０４２に対して力を加えることがトリガ係合部材１２３０を広げ、トリガ部材の開口部（たとえば、浮動トリガ部材３００の開口部３０２、またはトリガ部材１４００の開口部１４０８）の壁に対して半径方向の力を加えるように構成される。一実施形態では、トリガ部材の開口部（たとえば、浮動トリガ部材３００の開口部３０２、またはトリガ部材１４００の開口部１４０８）の壁に対してトリガ係合部材１２３０が半径方向の力を与えることによって、トリガ部材（たとえば、浮動トリガ部材３００
またはトリガ部材１４００）の任意の移動が摩擦力を受けるようになる。一実施形態では、トリガ部材とトリガ係合部材１２３０との間の摩擦力の大きさに影響する因子は、トリガ係合部材１２３０によってトリガ部材の開口部の壁に加えられる半径方向の力、およびトリガ係合部材１２３０とトリガ部材の開口部の壁との接触面間の相互作用の大きさを含む。一実施形態では、一般に、他のすべての変数を一定に保つ場合、トリガ係合部材１２３０によってトリガ部材の開口部の壁に加えられる半径方向の力の大きさが大きいほど、トリガ部材の移動によって発生する摩擦力が大きくなる。一実施形態では、一般に、他のすべての変数を一定に保つ場合、トリガ係合部材１２３０によるトリガ部材の開口部の壁に加えられる半径方向の力の大きさが小さいほど、トリガ部材の移動によって発生する摩擦力が小さくなる。一実施形態では、注射装置１００を作動させるために、ユーザは、ガード１０６の遠位端に力を加えなければならず、その力がガード１０６をトリガ部材（たとえば、浮動トリガ部材３００またはトリガ部材１４００）に係合させ、注射装置１００を作動させる。一実施形態では、ガード１０６の遠位端に加えられる力は、トリガ部材とトリガ係合部材１２３０との間の接触によって発生する摩擦力を克服するのに十分でなければならない。
【００７０】
[0093]主ばね力が、その圧縮された発射前状態において、圧縮された主ばねの力が径方向よりも軸方向の方が大きいように抑止部品に対して作用する設計の実施形態では、その結果、潜在的により低いトリガ力が生じることになる。これは、前述のように主ばね力の圧縮された力が高ばね力である場合に、特に重要である。一実施形態では、発射前状態において、トリガ係合部材１２３０の膨張部１２３０ａは、ラム保持部材１０４２に係合されたとき、ラム保持部材１０４２に対して軸方向の力と半径方向の力の両方を分散して加える。しかしながら、一実施形態では、膨張部１２３０ａは、トリガ係合部材１２３０によってラム保持部材１０４２に向けられる半径方向の力に向かう力を付勢して、トリガ係合部材１２３０を外方に広げ、トリガ部材の開口部（たとえば、浮動トリガ部材３００の開口部３０２、またはトリガ部材１４００の開口部１４０８）の壁に係合させるように構成される。一実施形態では、ラッチ保持角度１７２は、ラム保持部材１０４２に加えられる軸方向の力および半径方向の力の大きさを決定する。一実施形態では、ラッチ保持角度１７２が増大すると、トリガ係合部材１２３０によってラム保持部材１０４２に加えられる半径方向の力が小さくなり、したがってトリガ係合部材１２３０が広がることで生じる摩擦力が減少する。一実施形態では、トリガ係合部材１２３０を広げるように作用する力が減少すると、トリガ部材の開口部（たとえば、浮動トリガ部材３００の開口部３０２、またはトリガ部材１４００の開口部１４０８）の壁に加えられる力が小さくなり、したがって、より大きなラッチ保持角度１７２を有する実施形態よりも、注射装置１００を作動させるために必要とされる力が小さくなる。エネルギー源１２０が約１９ｌｂの荷重容量の高力ばねであり、ラッチ保持角度１７２が４０°である一実施形態において、ユーザは、注射装置１００を作動させるために、約２．５ｌｂ、約２．６ｌｂ、約２．７ｌｂ、約２．８ｌｂ、約２．９ｌｂ、約３．０ｌｂ、約３．１ｌｂ、約３．２ｌｂ、約３．３ｌｂ、約３．４ｌｂ、約３．５ｌｂ、約３．６ｌｂ、約３．７ｌｂ、約３．８ｌｂ、約３．９ｌｂ、約４．０ｌｂ、約４．１ｌｂ、約４．２ｌｂ、約４．３ｌｂ、約４．４ｌｂ、約４．５ｌｂ、約４．６ｌｂ、約４．７ｌｂ、約４．８ｌｂ、約４．９ｌｂ、約５．０ｌｂ、約５．１ｌｂ、約５．２ｌｂ、約５．３ｌｂ、約５．４ｌｂ、約５．５ｌｂ、約５．６ｌｂ、約５．７ｌｂ、約５．８ｌｂ、約５．９ｌｂ、約６．０ｌｂ、約６．１ｌｂ、約６．２ｌｂ、約６．３ｌｂ、約６．４ｌｂ、約６．５ｌｂ、約６．６ｌｂ、約６．７ｌｂ、約６．８ｌｂ、約６．９ｌｂ、約７．０ｌｂ、約７．１ｌｂ、約７．２ｌｂ、約７．３ｌｂ、約７．４ｌｂ、約７．５ｌｂ、約７．６ｌｂ、約７．７ｌｂ、約７．８ｌｂ、約７．９ｌｂ、約８．０ｌｂ、約８．１ｌｂ、約８．２ｌｂ、約８．３ｌｂ、約８．４ｌｂ、約８．５ｌｂ、約８．６ｌｂ、約８．７ｌｂ、約８．８ｌｂ、約８．９ｌｂ、約９．０ｌｂ、約９．１ｌｂ、約９．２ｌｂ、約９．３ｌｂ、約９．４ｌｂ、約９．５ｌｂ、約９．６ｌｂ、約９．７ｌｂ、約９．８ｌｂ、約９．９ｌｂ、約１０．０ｌｂ、または上記のポンド
質量から決定可能な任意の範囲（たとえば、約２．５ｌｂから約３．５ｌｂもしくは約３．４ｌｂから約８．７ｌｂ）の摩擦力を克服する必要がある。エネルギー源１２０が約１８ｌｂの荷重容量を有する高力ばねであり、ラッチ保持角度１７２が８０°である、別の実施形態では、ユーザは、注射装置１００を作動させるために、約０．２５ｌｂ、約０．３０ｌｂ、約０．３５ｌｂ、約０．４０ｌｂ、約０．４５ｌｂ、約０．５０ｌｂ、約０．５５ｌｂ、約０．６０ｌｂ、約０．６５ｌｂ、約０．７０ｌｂ、約０．７５ｌｂ、約０．８０ｌｂ、約０．８５ｌｂ、約０．９０ｌｂ、約０．９５ｌｂ、約１．００ｌｂ、約１．０５ｌｂ、約１．１０ｌｂ、約１．１５ｌｂ、約１．２０ｌｂ、約１．２５ｌｂ、約１．３０ｌｂ、約１．３５ｌｂ、約１．４０ｌｂ、約１．４５ｌｂ、約１．５０ｌｂ、約１．５５ｌｂ、約１．６０ｌｂ、約１．６５ｌｂ、約１．７０ｌｂ、約１．７５ｌｂ、約１．８０ｌｂ、約１．８５ｌｂ、約１．９０ｌｂ、約１．９５ｌｂ、約２．００ｌｂ、約２．０５ｌｂ、約２．１０ｌｂ、約２．１５ｌｂ、約２．２０ｌｂ、約２．２５ｌｂ、約２．３０ｌｂ、約２．３５ｌｂ、約２．４０ｌｂ、約２．４５ｌｂ、約２．５０ｌｂ、約２．５５ｌｂ、約２．６０ｌｂ、約２．６５ｌｂ、約２．７０ｌｂ、約２．７５ｌｂ、約２．８０ｌｂ、約２．８５ｌｂ、約２．９０ｌｂ、約２．９５ｌｂ、約３．００ｌｂ、約３．０５ｌｂ、約３．１０ｌｂ、約３．１５ｌｂ、約３．２０ｌｂ、約３．２５ｌｂ、約３．３０ｌｂ、約３．３５ｌｂ、約３．４０ｌｂ、約３．４５ｌｂ、約３．５０ｌｂ、約３．５５ｌｂ、約３．６０ｌｂ、約３．６５ｌｂ、約３．７０ｌｂ、約３．７５ｌｂ、約３．８０ｌｂ、約３．８５ｌｂ、約３．９０ｌｂ、約３．９５ｌｂ、約４．００ｌｂ、約４．０５ｌｂ、約４．１０ｌｂ、約４．１５ｌｂ、約４．２０ｌｂ、約４．２５ｌｂ、約４．３０ｌｂ、約４．３５ｌｂ、約４．４０ｌｂ、約４．４５ｌｂ、約４．５０ｌｂ、約４．５５ｌｂ、約４．６０ｌｂ、約４．６５ｌｂ、約４．７０ｌｂ、約４．７５ｌｂ、約４．８０ｌｂ、約４．８５ｌｂ、約４．９０ｌｂ、約４．９５ｌｂ、約５．００ｌｂ、または上記のポンド質量から決定可能な任意の範囲（たとえば、約０．２５ｌｂから約１．１５ｌｂ、もしくは約２．１０ｌｂ、から約３．８０ｌｂ）の摩擦力に打ち勝てればよい。
【００７１】
[0094]表３は、エネルギー源１２０が約１８ｌｂの荷重容量を有する高力ばねであり、ラッチ保持角度１７２が８０°（設計Ａ）および４０°（設計Ｂ）である場合の、注射装置１００を作動させるために摩擦力を克服するのに必要とされる例示的な力の値を示す。
【００７２】
【表３】
2018153647.tif 000006
【００７３】
[0095]いくつかの実施形態では、ユーザは、注射装置１００を作動させるために、摩擦力と、ばね１１４を介して伸張位置に向かってガード１０６を弾性的に付勢する力との両方を克服する必要がある。
【００７４】
[0096]いくつかの実施形態では、エネルギー源１２０は、トリガ係合部材１２３０がト
リガ部材の開口部（たとえば、浮動トリガ部材３００の開口部３０２、またはトリガ部材１４００の開口部１４０８）の壁にもはや係合されないときに、膨張部１２３０ａとトリガ係合部材１２３０との係合を解除するために十分な力を発生させるように構成される。一実施形態では、トリガ係合部材１２３０がトリガ部材の開口部（たとえば、浮動トリガ部材３００の開口部３０２、またはトリガ部材１４００の開口部１４０８）の壁にもはや係合されないときに、膨張部１２３０ａとトリガ係合部材１２３０との係合を解除するために必要とされる最小の軸方向の力は、約０．５ｌｂ、約１．０ｌｂ、約１．５ｌｂ、約２．０ｌｂ、約２．５ｌｂ、約３．０ｌｂ、約３．５ｌｂ、約４．０ｌｂ、約４．５ｌｂ、約５．０ｌｂ、約５．５ｌｂ、約６．０ｌｂ、約６．５ｌｂ、約７．０ｌｂ、約７．５ｌｂ、約８．０ｌｂ、約８．５ｌｂ、約９．０ｌｂ、約９．５ｌｂ、約１０．０ｌｂ、約１０．５ｌｂ、約１１．０ｌｂ、約１１．５ｌｂ、約１２．０ｌｂ、約１２．５ｌｂ、約１３．０ｌｂ、約１３．５ｌｂ、約１４．０ｌｂ、約１４．５ｌｂ、約１５．０ｌｂ、約１５．５ｌｂ、約１６．０ｌｂ、約１６．５ｌｂ、約１７．０ｌｂ、約１７．５ｌｂ、約１８．０ｌｂ、または上記の負荷から決定可能な任意の範囲（たとえば、約２．５ｌｂから約３．５ｌｂもしくは約８．５ｌｂから約９．５ｌｂ）である。他の実施形態では、部材１２３０がトリガ部材の開口部（たとえば、浮動トリガ部材３００の開口部３０２、またはトリガ部材１４００の開口部１４０８）の壁にもはや係合されないときに、膨張部１２３０ａとトリガ係合部材１２３０との係合を解除するために必要とされる最小の軸方向の力は、ラム組立体１２２に作用するエネルギー源１２０によって発生する力の約１０％、約１５％、約２０％、約２５％、約３０％、約３５％、約４０％、約４５％、約５０％、約５５％、約６０％、約６５％、約７０％、または上記のパーセンテージから決定可能な任意の範囲（たとえば、約１５％から約２０％もしくは約４５％から約５５％）である。
【００７５】
[0097]一実施形態では、注射装置１００は、ラム組立体１２２がハウジング端部／端部キャップ１０４に対して回転するのを防止する回転防止機構を含む。一実施形態では、回転防止機構は、ハウジング端部／端部キャップ１０４とラム組立体１２２の位置合わせを制御する。いくつかの実施形態では、ハウジング端部／端部キャップとラム組立体の位置合わせが不適切であることにより、ラム組立体１２２のハウジング端部／端部キャップ１０４からの解放が妨げられるか、または薬剤送達が完了しない。一実施形態では、図１８に示されるように、ハウジング端部／端部キャップ１０４が１つまたは複数の回転防止リブ１０４６を含む。他の実施形態では、ラム組立体１２２が１つまたは複数の回転防止リブ１２３６を有する。一実施形態では、トリガされる前に、ハウジング端部／端部キャップ１０４の回転防止リブ１０４６の位置がトリガ部材１４００の溝１４１２内でラム組立体１２２の回転防止リブ１２３６に合わせられることで、ラム組立体１２２がハウジング端部／端部キャップ１０４に対して回転することが防止される。
【００７６】
[0098]例示的な実施形態では、注射装置１００は、発射前に「安全装置オン（safeties-on）」設定にあることが可能である。たとえば、発射前の「安全装置オン」設定におい
て、注射装置１００は発射前状態であり、キャップ２００は注射装置１００に取り付けられている。この構成において、ガード１０６は、ばね１１４の力のもとで針１１２を覆う伸張位置にあり、ラム組立体１２２は近位位置にあり、エネルギー源１２０はそのエネルギーを解放していない。さらに、この状態では、ラム組立体１２２のトリガ係合部材１２３０は、浮動トリガ部材３００の開口部３０２に係合され、位置を開口部３０２の第１の位置３０２ａ（たとえば発射前状態）に合わせられる。さらに、トリガ係合部材１２３０は、ハウジング端部／端部キャップ１０４のラム保持部材１０４２に係合される。この位置において、ハウジング端部／端部キャップ１０４のラム保持部材１０４２を伴うトリガ係合部材１２３０は、エネルギー源１２０の力に対抗する。さらに、トリガ係合部材１２３０の位置が開口部３０２の第１の位置３０２ａに合わせられることにより、開口部３０２の保持部３０６は、トリガ係合部材１２３０が広がって開いてエネルギー源１２０の力
のもとでラム保持部材１０４２を解放するのを防止する。
【００７７】
[0099]例示的な実施形態では、注射装置１００は、発射前に「使用準備完了」状態にあることが可能である。たとえば、発射前の「使用準備完了」構成では、キャップ２００が既に取り除かれているが、その一方でユーザは注射を開始していない。したがって、この状態では、薬剤はまだ薬剤チャンバ１１０内にあり、ガード１０６は針１１２を覆う伸張状態のままである。エネルギー源１２０は蓄積したエネルギーを解放しておらず、ラム組立体１２２のトリガ係合部材１２３０はラム保持部材１０４２に係合され、位置を浮動トリガ部材の開口部３０２の第１の位置（３０２ａ）に合わせられたままである。
【００７８】
[00100]例示的な実施形態では、注射装置１００は、トリガされた、または「ちょうど
発射された」状態にあることが可能である。たとえば、トリガされた、または「ちょうど発射された」状態では、ガード１０６は、（たとえば、ガード１０６の遠位端に力を加えることにより）伸張位置から引込み位置に、近位方向に摺動可能に変位されており、それによって針１１２が露出する。エネルギー源１２０は、その蓄積されたエネルギーをちょうど解放し始めており（たとえば、例示的な圧縮ばねは圧縮されたままであり）、ラム組立体１２２は最も近位の位置のままである。注射装置１００は、たとえば、ユーザによる使用の最初の段階でこの状態になりうる。たとえば、これは、注射を実行するために、ユーザが注射部位に対して注射装置１００のガード１０６を押したときに観察することができる。したがって、注射部位に対して注射装置１００のガード１０６を押す際にユーザにより加えられる力は、ばね１１４の力に抗してガード１０６を近位方向へ変位させることがによってガード１０６を引込み位置に変位させ、針１１２を露出させて、注射部位でユーザの皮膚を貫通することができる。
【００７９】
[00101]一実施形態では、このトリガされた状態において、ガード１０６は引込み位置
に変位されており、ガード１０６のカム面１０６４が浮動トリガ部材３００のカム面３０８に係合することによって浮動トリガ部材３００をカム動作させる。このカム動作は、浮動トリガ部材３００を回転させて、トリガ係合部材１２３０を開口部３０２の第１の位置から離脱させ、開口部３０２の第２の位置に合わせる。この位置では、トリガ係合部材１２３０は、開口部３０２の保持部３０６によって広がって開くことをもはや阻止されない。したがって、トリガ係合部材１２３０は、エネルギー源１２０の力のもとで広がって開き、膨張部１２３０ａをハウジング端部／端部キャップ１０４のラム保持部材１０４２から解放させる。膨張部１２３０ａのラム保持部材１０４２からの解放は、ラム組立体１２２がエネルギー源１２０により発生した力のもとでハウジング１０２に対して遠位方向に摺動可能に変位することを可能にする。一実施形態では、ラム組立体１２０の遠位方向変位は、スリーブ１１６の環状構造１１６０の近位面に当接するラム組立体１２０により阻止される。
【００８０】
[00102]例示的な実施形態では、注射装置１００は、「ちょうど注射された（just-injected）」状態にあることが可能である。この状態は、上述の膨張部１２３０ａのラム保持部材１０４２からの解放、およびラム組立体１２２の遠位方向変位の後に続く。この状態において、エネルギー源１２０（たとえば圧縮ばね）はそのエネルギーを解放しており、それによりラム組立体１２２を遠位方向に変位させている。さらに、ガード１０６は引込み位置に押し込まれたままである。この状態は、注射装置１００の使用中に観察することができ、トリガされた、または「ちょうど使用された（just-used）」状態の直後である
。上述したように、浮動トリガ部材３００のカム動作は、突出部１２３０を開口部３０２により規定される第２の位置に合わせ、トリガ係合部材１２３０が広がって開いて、エネルギー源１２０により解放される力のもとでラム保持部材１０４２を解放することを可能にする。したがって、エネルギー源１２０は、蓄積されたエネルギーの全部でないとしても少なくとも一部を解放しており（たとえば、圧縮ばねの圧縮が低減する）、ラム組立体
１２２はラム１２３２と同様に遠位位置まで遠位方向に変位されている。ラム１２３２の遠位方向変位は、プランジャ１１８を遠位方向に付勢し、薬剤チャンバ１１０内の薬剤を針１１２を通してユーザに投与することで、薬剤をユーザに注射する。いくつかの実施形態ではこの状態において注射が完了するが、ガード１０６が針１１２を露出する引込み位置のままであるので、注射装置１００は依然として注射部位に対して押される可能性がある。さらに、いくつかの実施形態では、ラム組立体１２２のこの遠位方向変位により、ラム組立体１２２がハウジング１０２の窓に表示される位置に配置される。例示的な実施形態では、ラム組立体１２２の遠位方向変位の後、ラム組立体１２２は、窓を完全に塞ぐように薬剤容器１１０とハウジング１０２との間に配置される。ラム組立体１２２だけが窓を通して視認可能になり、薬剤容器１１０はもはや視認されなくなる（たとえば、ラム組立体は薬剤容器１１０と窓との間に配置される）。さらに、ラム組立体１２２は、注射装置１００が使用されたことをユーザに示す明確なインジケータとなる（上述のような）色を有することができ、この色は、発射の前に注射器の外側から視認可能な他の色と異なる。
【００８１】
[00103]例示的な実施形態では、注射装置は、「ロックアウト（locked-out）」状態に
あることが可能である。たとえば、「ロックアウト」状態は、ユーザが注射装置１００を注射部位から除去した後に観察することができる。この状態において、ばね１１４の力に対して引込み位置にガード１０６を拘束するものがない。したがって、ガード１０６は、ばね１１４の力のもとで引込み位置から伸張位置に遠位方向に変位され、それによって針１１２を覆う。ガード１０６がばね１１４の力のもとで引込み位置から伸張位置へ遠位方向に移動すると、外側方向に付勢されたばね１０６８上に配置された突出部１０６６はスリーブ１１６の脚部１１７０の近位面と開口部１２２６の近位壁との間に形成された開口部に係合する。したがって、突出部１０６６と開口部１２２６の近位壁との関連付けは、ガード１０６が近位方向に変位するのを防止し、突出部１０６６と脚部１１７０の近位面との関連付けは、ガード１０６が遠位方向に変位するのを防止する。したがって、ガード１０６はロック位置にあり、それにより注射装置１００をロックアウトして、針１１２が覆われ、ユーザが以降の注射を試みることができないように所定の位置にガード１０６がロックされるようにする。その後、ユーザは、注射装置１００の遠位端上にキャップ２００を戻して取り付けることができる。
【００８２】
[00104]有利には、一実施形態では、この「ロックアウト」状態は、ガード１０６の変
位には依存せず、むしろ、薬剤チャンバ１１０に貯蔵された薬剤の排出、および／またはラム組立体１２２の移動に依存する。たとえば、注射装置１００は、ガード１０６が変位していなくても、薬剤が不注意に排出される状況でロックアウト状態になる。注射装置１００は、エネルギー源１２０が作動され、ラム組立体１２２が遠位方向に変位し、ラム１２３２がプランジャ１１８を変位させ、それにより薬剤チャンバ１１０内の薬剤を排出させる場合に、ロックアウト状態になってもよい。
【００８３】
[00105]例示的な実施形態では、注射装置１００の部品の多くが、弾性のあるプラスチ
ックもしくはポリマー、または金属で形成される。一実施形態では、ラム組立体１２２の突出部１２３０は、ラム組立体１２２を単一のモールドを使用して成形できるように配向される。たとえば、図１０に示されるように、突出部１２３０（いくつかの実施形態では互いに軸対称である）は、脚部１２２８（いくつかの実施形態では互いに軸対称である）のようなラム組立体１２２の他の機能の配置に対して所定の角度で配置されてもよい。たとえば、図１２に示されるように、単一のモールドがＡで示されるラム組立体１２０の部分（すべての機能、部品、開口部など、１２２８Ａを含む）を成形してもよく、単一のモールドがＢで示されるラム組立体の部分（すべての機能、部品、開口部など、１２２８Ｂを含む）を成形してもよい。それゆえ、いくつかの実施形態では、突出部１２３０の各面が２つのモールドを分割する方向に沿ってアクセス可能であり、２つのモールドはそれら
の分割および取外しを邪魔する分離方向に対して直交して面する突出部１２３０の凹部をもたずに、直線的に分割することができる。
【００８４】
[00106]さらに、キャップ２００は、穴／開口部なしに成形できるように、らせん状に
構成することができる。たとえば、キャップ２００は、キャップ２００がモールドからねじ式に取り外されることを可能にするスレッド２０６を含むことができる。さらに、外側ハウジング１０２は、（たとえば、図１に示されるように）ユーザが注射装置１００の内側の動作を視認できるように、また不具合がないかどうか確認できるように、半透明の材料を含むことができる。加えて、注射装置１００は、注射装置１００をより人間工学的に使用しやすくするため、およびユーザにとって快適にするために、リッジ、パッド、またはコンターなどの様々な把持要素を含むことができる。さらに、注射装置１００は、注射を行うのに必要な工程を指示するためのステッカー、ブランドマーク、薬剤情報、数値、または矢印などのマーキング、およびブランドやロゴデザインのような広告マークの領域を含むことができる。
【００８５】
[00107]本発明の例示的な実施形態が本明細書に開示されたが、多数の修正形態および
他の実施形態が当業者によって考案され得ることが理解されよう。たとえば、様々な実施形態の特徴が他の実施形態で使用され得る。他の実施形態は、トリガ係合部材１２３０およびトリガ部材に対する作用によりラム組立体１２２を解放させるために異なる機構を含むことができる。たとえば、一実施形態では、注射装置１００は、図１４Ａおよび図１４Ｂに示されるように、トリガ部材１４００を含む。一実施形態では、トリガ部材１４００は、本体１４０２、および本体１４０２から延びる脚部１４０４を有する。一実施形態では、本体１４０２はリップ１４１０を含む。一実施形態では、リップ１４１０は、（より詳細に後述され図１５Ｄで見られるように）ガード１５００の面１５０４に係合するように構成される。いくつかの実施形態では、脚部１４０２は、脚部１４０４の遠位端から延びるタブ１４０６を有する。一実施形態では、タブ１４０６は、ガード１５００に摺動可能に係合するような形状および寸法にされる。さらに、一実施形態では、トリガ部材１４００は、本体１４０２を貫通して配置される開口部１４０８を含む。一実施形態では、開口部１４０８は、発射機構１０８のトリガ係合部材１２３０に係合するように構成される。一実施形態では、トリガ係合部材１２３０の膨張部１２３０ａの係合により、注射装置が発射するのが防止される。一実施形態では、トリガ部材１４００は、近位方向の軸方向運動により、開口部１４０８と突出部１２３０との係合を解除する。図１４Ｃは、トリガ部材１４００の別の実施形態を示す。いくつかの実施形態では、トリガ部材１４００は、回転防止機構の一部として溝１４１２を含む。
【００８６】
[00108]図１５Ａから図１５Ｈに示されるように、一実施形態では、注射装置１００は
ガード１５００を含む。一実施形態では、ガード１５００は脚部１５０２を含む。別の実施形態では、脚部１５０２は、脚部１５０２の近位端における面１５０４のような発射開始部材を有する。一実施形態では、面１５０４は、トリガ部材１４００のリップ１４１０に係合するように構成される。一実施形態では、脚部１５０２は、環状構造１１６０の開口部１１７８に受容されるように構成される。一実施形態では、脚部１５０２はリッジ１５０６を含み、リッジ１５０６は、ガード１５００が軸方向に変位されるときに、脚部１５０２の位置を合わせてガイドするのを容易にするために、スリーブ１１６の溝１１６４ａに係合するように構成される。例示的な実施形態では、脚部１５０２および面１５０４は軸対称である。一実施形態では、面１５０４は、注射装置１００の発射を開始して薬剤チャンバ１１０に貯蔵された薬剤の注射を実行する際に、発射機構１０８に係合するように構成される。一実施形態では、面１５０４は、ガード１５００が伸張位置から引込み位置へ変位するときにトリガ部材１４００のリップ１４１０に係合するような形状にされる。一実施形態では、脚部１５０２は開口１５０８を含む。一実施形態では、開口１５０８は、トリガ部材１４００のタブ１４０６に係合するような寸法および形状にされる。一実
施形態では、開口１５０８は、タブ１４０６が開口１５０８に摺動可能に係合することができる寸法および形状にされる。一実施形態では、図１６Ａおよび図１６Ｂに示されるように、開口１５０８とタブ１４０６とが摺動可能かつ係合可能な構成であるとき、ガード１５００は、トリガ部材１４００の移動なしに所定の距離だけ軸方向に移動することができる。別の実施形態では、図１６Ａ、図１６Ｂ、および図１６Ｃに示されるように、開口１５０８とタブ１４０６とが摺動可能かつ係合可能な構成であるとき、ガード１５００がトリガ部材１４００を移動させることなく所定の距離を軸方向に移動した後、所定の距離を越えたガード１５００の軸方向移動はトリガ部材１４００の軸方向移動を引き起こす。
【００８７】
[00109]一実施形態では、開口１５０８は、開口１５０８内へのタブ１４０６のスナッ
プフィットを可能にする寸法および形状にされる。一実施形態では、開口１５０８およびタブ１４０６がスナップフィット構成であるとき、ガード１５００の軸方向移動が、トリガ部材１４００の直接的な軸方向移動を引き起こし、トリガ部材１４００も移動させなければガード１５００が軸方向移動できなくなる。一実施形態では、近位方向でのトリガ部材１４００の直接的な軸方向移動が、トリガ部材１４００の開口部１４０８と発射機構のトリガ係合部材１２３０との係合を解除し、それが膨張部１２３０ａとラム保持部材１０４２との係合を解除する。一実施形態では、ハウジング端部／端部キャップ１０４のラム保持部材１０４２とトリガ係合部材１２３０との係合の解除が、注射装置１００に発射を実行させる。
【００８８】
[00110]図示されないが、トリガ部材１４００に配置された開口とタブとが摺動可能に
、または直接的に連通できるように、タブまたは突起部がガード１５００の脚部１５０２に配置され得ることも考えられる。
【００８９】
[00111]他の実施形態は、ハウジングの外側でアクセス可能なスライドその他の要素を
介するなどしてユーザが浮動トリガ部材３００を直接的に回転させることによるもの、または指で押すボタンなど浮動トリガ部材を回転させる他の変換機構によるもののような、トリガ係合部材１２３０をトリガ部材から解放するための異なる機構を含むことができる。このように、添付の請求の範囲は、本発明の趣旨および範囲に含まれるすべてのそのような修正形態および実施形態を包含することを意図することが理解されよう。
【００９０】
[00112]本明細書のすべての引用文献のそれぞれは、その全体が参照により組み込まれ
る。米国特許第８，４９６，６１９号、第８，０２１，３３５号、第７，７７６，０１５号、および第６，３９１，００３号、米国特許出願公開第２０１３／０３０３９８５号、第２０１３／０３３１７８８号、第２０１３／０３１７４３１号、米国特許出願第１３／１８４，２２９号、ならびに米国仮特許出願第６１／６２１，２９８号および第６１／６４３，８４５号の開示全体は、本明細書に完全に説明されているかのように、参照により本明細書に組み込まれる。本明細書で使用される「約」という語は、一般に、対応する数および数の範囲の両方を指すものと理解されたい。さらに、本明細書におけるすべての数値範囲は、範囲内の各整数全部を含むものと理解されたい。
【００９１】
[00113]明確化のために当業者が認識するであろう他の要素を排除することも本発明の
一部分を構成し得るが、本発明の図および説明の少なくとも一部が本発明の明確な理解に関連する要素に焦点を合わせるために簡略化されていることが理解されよう。しかしながら、そのような要素は当技術分野で周知であるので、またそれらは必ずしも本発明のより良い理解を促進しないので、そのような要素の説明は本明細書では提供されていない。
【図１】
2018153647.tif 000007
【図２】
2018153647.tif 000008
【図３Ａ】
2018153647.tif 000009
【図３Ｂ】
2018153647.tif 000010
【図３Ｃ】
2018153647.tif 000011
【図４】
2018153647.tif 000012
【図５Ａ】
2018153647.tif 000013
【図５Ｂ】
2018153647.tif 000014
【図６Ａ】
2018153647.tif 000015
【図６Ｂ】
2018153647.tif 000016
【図７Ａ】
2018153647.tif 000017
【図７Ｂ】
2018153647.tif 000018
【図８】
2018153647.tif 000019
【図９Ａ】
2018153647.tif 000020
【図９Ｂ】
2018153647.tif 000021
【図１０Ａ】
2018153647.tif 000022
【図１０Ｂ】
2018153647.tif 000023
【図１１】
2018153647.tif 000024
【図１２】
2018153647.tif 000025
【図１３】
2018153647.tif 000026
【図１４Ａ】
2018153647.tif 000027
【図１４Ｂ】
2018153647.tif 000028
【図１４Ｃ】
2018153647.tif 000029
【図１５Ａ】
2018153647.tif 000030
【図１５Ｂ】
2018153647.tif 000031
【図１５Ｃ】
2018153647.tif 000032
【図１５Ｄ】
2018153647.tif 000033
【図１５Ｅ】
2018153647.tif 000034
【図１５Ｆ】
2018153647.tif 000035
【図１５Ｇ】
2018153647.tif 000036
【図１５Ｈ】
2018153647.tif 000037
【図１６Ａ】
2018153647.tif 000038
【図１６Ｂ】
2018153647.tif 000039
【図１６Ｃ】
2018153647.tif 000040
【図１７Ａ】
2018153647.tif 000041
【図１７Ｂ】
2018153647.tif 000042
【図１７Ｃ】
2018153647.tif 000043
【図１７Ｄ】
2018153647.tif 000044
【図１８】
2018153647.tif 000045
【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
軸（１７０）の周りに配置され、開口（１４０８）および突出部（１４０６）を有するトリガ部材（１４００）、および
薬剤容器（１１０）から薬剤を発射するために前記薬剤容器（１１０）を加圧するように構成されたラム（１２３２）を有するラム組立体（１２２）であって、前記トリガ部材（１４００）が発射前状態にあるときに前記トリガ部材（１４００）の前記開口（１４０８）に係合するように構成されたトリガ係合部材（１２３０）をさらに有するラム組立体（１２２）
を含むトリガ機構と、
前記薬剤を発射するために前記ラム（１２３２）に力を加えるように前記ラム（１２３２）に関連付けられるエネルギー源（１２０）と、
ユーザ操作可能な発射開始部材（１５０４）であって、前記トリガ係合部材（１２３０）に係合される開口（１４０８）を有し、前記発射前状態から発射状態へ近位方向に前記トリガ係合部材（１２３０）の軸方向移動を引き起こすように操作可能であり、前記発射状態では前記トリガ係合部材（１２３０）が保持部（３０６）から解放されることで前記エネルギー源（１２０）が前記ラム（１２３２）を始動することが可能になる発射開始部材（１５０４）と
を備え、
ラム組立体（１２２）のトリガ係合部材（１２３０）の膨張部（１２３０ａ）とハウジング端部／端部キャップのラム保持部材（１０４２）との係合する面の角度が、ラッチ保持角度（１７２）を規定し、
前記ラッチ保持角度（１７２）は、約３５°と約４５°との間である、注射器（１００）。
【請求項２】
軸（１７０）の周りに配置され、開口（１４０８）および突出部（１４０６）を有するトリガ部材（１４００）、および
薬剤容器（１１０）から薬剤を発射するために前記薬剤容器（１１０）を加圧するように構成されたラム（１２３２）を有するラム組立体（１２２）であって、前記トリガ部材（１４００）が発射前状態にあるときに前記トリガ部材（１４００）の前記開口（１４０８）に係合するように構成されたトリガ係合部材（１２３０）をさらに有するラム組立体（１２２）
を含むトリガ機構と、
前記薬剤を発射するために前記ラム（１２３２）に力を加えるように前記ラム（１２３２）に関連付けられるエネルギー源（１２０）と、
ユーザ操作可能な発射開始部材（１５０４）であって、前記トリガ係合部材（１２３０）に係合される開口（１４０８）を有し、前記発射前状態から発射状態へ近位方向に前記トリガ係合部材（１２３０）の軸方向移動を引き起こすように操作可能であり、前記発射状態では前記トリガ係合部材（１２３０）が保持部（３０６）から解放されることで前記エネルギー源（１２０）が前記ラム（１２３２）を始動することが可能になる発射開始部材（１５０４）と
を備え、
ラム組立体（１２２）のトリガ係合部材（１２３０）の膨張部（１２３０ａ）とハウジング端部／端部キャップのラム保持部材（１０４２）との係合する面の角度が、ラッチ保持角度（１７２）を規定し、
前記ラッチ保持角度（１７２）は、約７５°と約８５°との間である、注射器（１００）。
【請求項３】
注射器ハウジングをさらに備え、
前記発射開始部材は、前記注射器の遠位端に配置された皮膚接触部材を含み、前記皮膚接触部材は前記注射器の前記遠位端において前記皮膚接触部材に力が加えられたときに前記ハウジングに対して近位方向に移動可能であり、
前記発射開始部材は、前記トリガ係合部材に関連付けられ、前記皮膚接触部材の前記ハウジングに対する近位方向の移動の際に、前記発射前状態から前記発射状態へ近位方向に前記トリガ係合部材の軸方向移動を引き起こすように構成される、請求項１または請求項２に記載の注射器。
【請求項４】
前記皮膚接触部材は、針ガードを含み、前記針ガードは引込み可能であり、かつ前記皮膚接触部材の近位方向の移動の際に前記薬剤容器に接続された針を露出するように構成される、請求項３に記載の注射器。
【請求項５】
前記針は、発射中に前記薬剤容器から発射される薬剤を注射するために前記薬剤容器に流体連通する、請求項４に記載の注射器。
【請求項６】
前記エネルギー源は、約９０ｐｓｉと約６００ｐｓｉとの間に前記薬剤を加圧するように構成される、請求項４に記載の注射器。
【請求項７】
前記エネルギー源および前記針は、前記針内で少なくとも約１，０００ｃｍ／ｓｅｃの平均速度で前記薬剤を注射するように構成される、請求項４に記載の注射器。
【請求項８】
端部キャップをさらに備え、前記端部キャップは、発射前位置において前記エネルギー源の動作に対抗して前記ラム組立体を軸方向について近位位置に保持するラム保持部材を備える、請求項１または請求項２に記載の注射器。
【請求項９】
前記ラム保持部材は、前記トリガ係合部材を係合させることで、前記発射前位置において前記エネルギー源の動作に対抗して前記ラム組立体を軸方向について近位位置に保持する、請求項８に記載の注射器。
【請求項１０】
前記発射状態において、前記ラムが前記開口から解放され、前記エネルギー源が前記トリガ係合部材と前記ラム保持部材との間の係合を克服する、請求項９に記載の注射器。
【請求項１１】
前記ラム保持部材は突出部を含み、前記突出部は前記トリガ係合部材に係合される膨張部および溝を含み、
前記トリガ部材の前記開口は、前記発射前状態において、前記膨張部および前記溝を含む前記トリガ係合部材との係合を保持する、請求項９に記載の注射器。
【請求項１２】
注射中に前記薬剤容器を保持するように構成された容器支持体をさらに備え、
前記ラム組立体は、注射後に前記注射器をロックアウトするために前記容器支持体に係合するように構成される、請求項１または請求項２に記載の注射器。
【請求項１３】
前記注射器がロックアウトされたときに、前記ユーザ操作可能な発射開始部材の近位方向の移動が、前記ラム組立体によってブロックされる、請求項１２に記載の注射器。
【請求項１４】
前記薬剤はアンドロゲンを含む、請求項１または請求項２に記載の注射器。
【請求項１５】
前記アンドロゲンは、テストステロンまたはその誘導体もしくはエステルを含む、請求項１４に記載の注射器。
【請求項１６】
前記アンドロゲンはエナント酸テストステロンを含む、請求項１５に記載の注射器。
【請求項１７】
前記エネルギー源および前記針は、前記針を通して前記薬剤をジェット注射するように構成される、請求項６に記載の注射器。
【請求項１８】
前記エネルギー源および前記針は、前記針を通して前記薬剤をジェット注射するように構成される、請求項７に記載の注射器。
【請求項１９】
前記エネルギー源および前記針は、前記薬剤を前記針内で約１００ｃｍ／ｓｅｃと約１，０００ｃｍ／ｓｅｃとの間の平均速度で注射するように構成される、請求項４に記載の注射器。
【請求項２０】
前記エネルギー源および前記針は、前記針を通して前記薬剤をジェット注射するように構成される、請求項１９に記載の注射器。
【手続補正２】
【補正対象書類名】明細書
【補正対象項目名】００８５
【補正方法】変更
【補正の内容】
【００８５】
[00107]本発明の例示的な実施形態が本明細書に開示されたが、多数の修正形態および
他の実施形態が当業者によって考案され得ることが理解されよう。たとえば、様々な実施形態の特徴が他の実施形態で使用され得る。他の実施形態は、トリガ係合部材１２３０およびトリガ部材に対する作用によりラム組立体１２２を解放させるために異なる機構を含むことができる。たとえば、一実施形態では、注射装置１００は、図１４Ａおよび図１４Ｂに示されるように、トリガ部材１４００を含む。一実施形態では、トリガ部材１４００は、本体１４０２、および本体１４０２から延びる脚部１４０４を有する。一実施形態では、本体１４０２はリップ１４１０を含む。一実施形態では、リップ１４１０は、（より詳細に後述され図１５Ｄで見られるように）ガード１５００の面１５０４に係合するように構成される。いくつかの実施形態では、脚部１４０２は、脚部１４０４の遠位端から延びる突出部１４０６を有する。一実施形態では、突出部１４０６は、ガード１５００に摺動可能に係合するような形状および寸法にされる。さらに、一実施形態では、トリガ部材１４００は、本体１４０２を貫通して配置される開口部１４０８を含む。一実施形態では、開口部１４０８は、発射機構１０８のトリガ係合部材１２３０に係合するように構成される。一実施形態では、トリガ係合部材１２３０の膨張部１２３０ａの係合により、注射装置が発射するのが防止される。一実施形態では、トリガ部材１４００は、近位方向の軸方向運動により、開口部１４０８と突出部１２３０との係合を解除する。図１４Ｃは、トリガ部材１４００の別の実施形態を示す。いくつかの実施形態では、トリガ部材１４００は、回転防止機構の一部として溝１４１２を含む。
【手続補正３】
【補正対象書類名】明細書
【補正対象項目名】００８６
【補正方法】変更
【補正の内容】
【００８６】
[00108]図１５Ａから図１５Ｈに示されるように、一実施形態では、注射装置１００は
ガード１５００を含む。一実施形態では、ガード１５００は脚部１５０２を含む。別の実施形態では、脚部１５０２は、脚部１５０２の近位端における面１５０４のような発射開始部材を有する。一実施形態では、面１５０４は、トリガ部材１４００のリップ１４１０に係合するように構成される。一実施形態では、脚部１５０２は、環状構造１１６０の開口部１１７８に受容されるように構成される。一実施形態では、脚部１５０２はリッジ１５０６を含み、リッジ１５０６は、ガード１５００が軸方向に変位されるときに、脚部１５０２の位置を合わせてガイドするのを容易にするために、スリーブ１１６の溝１１６４ａに係合するように構成される。例示的な実施形態では、脚部１５０２および面１５０４は軸対称である。一実施形態では、面１５０４は、注射装置１００の発射を開始して薬剤チャンバ１１０に貯蔵された薬剤の注射を実行する際に、発射機構１０８に係合するように構成される。一実施形態では、面１５０４は、ガード１５００が伸張位置から引込み位置へ変位するときにトリガ部材１４００のリップ１４１０に係合するような形状にされる。一実施形態では、脚部１５０２は開口１５０８を含む。一実施形態では、開口１５０８は、トリガ部材１４００の突出部１４０６に係合するような寸法および形状にされる。一実施形態では、開口１５０８は、突出部１４０６が開口１５０８に摺動可能に係合することができる寸法および形状にされる。一実施形態では、図１６Ａおよび図１６Ｂに示されるように、開口１５０８と突出部１４０６とが摺動可能かつ係合可能な構成であるとき、ガード１５００は、トリガ部材１４００の移動なしに所定の距離だけ軸方向に移動することができる。別の実施形態では、図１６Ａ、図１６Ｂ、および図１６Ｃに示されるように、開口１５０８と突出部１４０６とが摺動可能かつ係合可能な構成であるとき、ガード１５００がトリガ部材１４００を移動させることなく所定の距離を軸方向に移動した後、所定の距離を越えたガード１５００の軸方向移動はトリガ部材１４００の軸方向移動を引き起こす。
【手続補正４】
【補正対象書類名】明細書
【補正対象項目名】００８７
【補正方法】変更
【補正の内容】
【００８７】
[00109]一実施形態では、開口１５０８は、開口１５０８内への突出部１４０６のスナップフィットを可能にする寸法および形状にされる。一実施形態では、開口１５０８および突出部１４０６がスナップフィット構成であるとき、ガード１５００の軸方向移動が、トリガ部材１４００の直接的な軸方向移動を引き起こし、トリガ部材１４００も移動させなければガード１５００が軸方向移動できなくなる。一実施形態では、近位方向でのトリガ部材１４００の直接的な軸方向移動が、トリガ部材１４００の開口部１４０８と発射機構のトリガ係合部材１２３０との係合を解除し、それが膨張部１２３０ａとラム保持部材１０４２との係合を解除する。一実施形態では、ハウジング端部／端部キャップ１０４のラム保持部材１０４２とトリガ係合部材１２３０との係合の解除が、注射装置１００に発射を実行させる。
【外国語明細書】
2018153647000001.pdf